(57)【要約】      （修正有）【課題】ネイルプリント装置の印刷方法およびシステム、ならびにその媒体を提供する。【解決手段】印刷方法は、ユーザの爪モデルを第２領域に表示するステップを含み得る。印刷方法は、第２パターンを第２領域に表示するステップを含み得る。ユーザの爪モデルは、第２パターンの少なくとも一部と重複し得る。ユーザの爪モデルと重複する第２パターンの少なくとも一部は、印刷パターンとして使用され得る。印刷方法は、印刷命令に基づいて印刷パターンを印刷するステップを含み得る。【選択図】図４
2020110572.tif 000002
【特許請求の範囲】
【請求項１】
ネイルプリント装置の印刷方法であって、前記ネイルプリント装置は、
タッチスクリーンを含み、前記タッチスクリーンは第1インターフェースを表示するように構成されており、前記第1インターフェースは第2領域を含み、前記ネイルプリント装置の前記印刷方法は、
ユーザの爪モデルを前記第2領域に表示するステップと、
第2パターンを前記第2領域に表示するステップであって、前記ユーザの爪モデルは前記第2パターンの少なくとも一部と重複し、前記ユーザの爪モデルと重複する前記第2パターンの前記少なくとも一部は印刷パターンとして使用される、ステップと、
印刷命令に基づいて前記印刷パターンを印刷するステップと、
を含む、印刷方法。
【請求項２】
前記第1インターフェースは第1領域も含み、前記第1領域は複数の第1パターンを含み、前記ユーザの爪モデルを前記第2領域に表示する前記ステップの前に、
ユーザの爪の領域の画像を取得するステップであって、前記ユーザの爪モデルはリアルタイムで前記第2領域に表示され、前記ユーザの爪モデルは前記ユーザの爪の前記領域の前記画像に対応する、ステップ
も備える、請求項1に記載のネイルプリント装置の印刷方法。
【請求項３】
前記第2パターンを前記第2領域に表示する前記ステップの前に、
前記第1領域内で前記ユーザによって選択された前記複数の第1パターンの第1パターンを識別するステップであって、前記第2パターンは前記第1パターンと一致する、ステップ
も備える、請求項1または2に記載のネイルプリント装置の印刷方法。
【請求項４】
前記第1インターフェースは第3領域を含み、第2パターンを前記第2領域に表示する前記ステップの後に、前記ユーザの爪モデルは前記第2パターンの少なくとも一部と重複し、前記ユーザの爪モデルと重複する前記第2パターンの前記少なくとも一部は印刷パターンとして使用され、
前記ユーザの爪に印刷された前記印刷パターンの効果印刷プレビューを前記第3領域に表示するステップ
も備える、請求項1から3のいずれか一項に記載のネイルプリント装置の印刷方法。
【請求項５】
第2パターンを前記第2領域に表示する前記ステップの後、前記ユーザの爪モデルは前記第2パターンの少なくとも一部と重複し、前記ユーザの爪モデルと重複する前記第2パターンの前記少なくとも一部は印刷パターンとして使用され、
前記タッチスクリーンを通じて前記ユーザによって前記第2パターンの位置および／またはサイズを調整する調整命令を受信するステップと、
前記ユーザの爪モデル上の前記印刷パターンの位置および／またはサイズを調整するために、前記調整命令に基づいて前記第2パターンの前記位置および／またはサイズを調整するステップと、
も備える、請求項1から4のいずれか一項に記載のネイルプリント装置の印刷方法。
【請求項６】
前記印刷パターンの印刷中の効果印刷ビューをリアルタイムで前記第2領域に表示するステップ
をさらに備える、請求項1から5のいずれか一項に記載のネイルプリント装置の印刷方法。
【請求項７】
前記第1領域は、所定の行および所定の列を含む前記第1パターンを含み、前記ネイルプリント装置の印刷方法はまた、
スライド命令を受信するステップと、
前記スライド命令に基づいて前記第1領域内をスライドした後に前記複数の第1パターンを表示するステップと、
も含む、請求項2に記載のネイルプリント装置の印刷方法。
【請求項８】
前記調整命令は、マルチタッチの移動命令、回転命令、水平ミラーリング命令、垂直ミラーリング命令、または比例スケーリング命令を含み、前記第1インターフェースは、回転アイコン、水平ミラーリングアイコン、および垂直ミラーリングアイコンを含み
前記回転アイコンは、前記ユーザのタッチに基づいて前記回転命令を生成するように構成され、
前記水平ミラーリングアイコンは、前記ユーザのタッチに基づいて前記水平ミラーリング命令を生成するように構成され、
前記垂直ミラーリングアイコンは、前記ユーザのタッチに基づいて前記垂直ミラーリング命令を生成するように構成される、
請求項5に記載のネイルプリント装置の印刷方法。
【請求項９】
前記ユーザの爪の前記領域の前記画像を取得する前記ステップは、
前記ユーザの爪の画像を取得するステップと、
アルゴリズムに基づいて前記ユーザの爪の前記画像に基づいて前記ユーザの爪の前記領域の前記画像を自動的に識別するステップと、
を含む、請求項2に記載のネイルプリント装置の印刷方法。
【請求項１０】
ネイルプリント装置であって、前記ネイルプリント装置は、制御モジュールと、カメラデバイスと、タッチスクリーンと、を含み、前記カメラデバイスおよび前記タッチスクリーンは前記制御モジュールに電気的に接続され、前記カメラデバイスはユーザの指の写真または動画を取り込むように構成され、前記タッチスクリーンは、前記写真または動画をリアルタイムで表示し、前記写真または動画内の爪輪郭に対応する前記ユーザの爪モデルを強調するように構成されている、ネイルプリント装置。
【請求項１１】
ネイルプリント装置の印刷方法であって、前記ネイルプリント装置の印刷方法は、
ユーザの爪の画像から爪輪郭を識別し、前記爪輪郭に対応するユーザの爪モデルを表示するステップと、
印刷されるパターンを生成するために所定の画像ライブラリからパターンを選択するステップであって、前記印刷されるパターンは前記ユーザの爪モデルと重複する、ステップと、
前記印刷されるパターンを調整するステップと、
前記ユーザの爪モデルと重複する前記印刷される調整済みパターンの一部を前記ユーザの爪に印刷するステップと、
を含む、ネイルプリント装置の印刷方法。
【請求項１２】
前記ユーザの爪モデルと重複する前記印刷されるパターンは、
前記印刷されるパターンの中心が前記ユーザの爪モデルの中心と重複する
ことを含む、請求項11に記載のネイルプリント装置の印刷方法。
【請求項１３】
前記印刷されるパターンを調整するステップは、
前記タッチスクリーンをタッチすることによって前記第2パターンの位置を調整するステップと、
前記タッチスクリーンをタッチすることによって前記第2パターンを比例的に拡大または縮小するステップと、
回転調整、水平ミラーリング調整、垂直ミラーリング調整のうちの少なくとも1つに基づいて前記第2パターンを調整するステップと、
を含む、請求項11または12に記載のネイルプリント装置の印刷方法。
【請求項１４】
ネイルプリント装置であって、前記ネイルプリント装置はタッチスクリーンを含み、前記タッチスクリーンは第1インターフェースを表示するように構成され、前記第1インターフェースは第1領域および第2領域を含み、
前記第1領域は、複数の第1パターンを表示し、前記複数の第1パターンから第1パターンを選択するためにユーザがタッチするように構成され、
前記第2領域は、ユーザの爪のモデルおよび第2パターンを表示し、前記第2パターンの位置を調整するためまたは前記第2パターンを比例的に拡大または縮小するために前記ユーザがタッチするように構成され、前記第2パターンは前記選択された第1パターンと一致する、ネイルプリント装置。
【請求項１５】
ネイルプリント装置の画像処理方法であって、前記ネイルプリント装置は、
タッチスクリーンを含み、前記タッチスクリーンは第1インターフェースを表示するように構成されており、前記第1インターフェースは第1領域および第2領域を含み、前記第1領域は複数の第1パターンを含み、前記マニキュア装置の前記画像処理方法は、
ユーザの爪モデルを前記第2領域に表示するステップと、
前記第1領域内でユーザによって選択された第1パターンを識別するステップと、
第2パターンを前記第2領域に表示するステップであって、前記第2パターンは前記第1パターンと一致し、前記第2パターンの中心と前記ユーザの爪モデルの中心とが一致する、ステップと、
を含む、ネイルプリント装置の画像処理方法。
【請求項１６】
ユーザの爪モデルを前記第2領域に表示する前記ステップの前に、
前記ユーザの爪の画像を取得するステップと、
前記ユーザの爪の前記画像に基づいて前記ユーザの爪の領域の画像を識別するステップであって、前記ユーザの爪モデルは前記ユーザの爪の領域の前記画像と一致する、ステップと、
も備える、請求項15に記載のネイルプリント装置の画像処理方法。
【請求項１７】
第2パターンを前記第2領域に表示する前記ステップの前に、
前記第2パターンのサイズが前記ユーザの爪モデルのサイズに適合するように、所定の比率に基づいて前記第1パターンから前記第2パターンを生成するステップ
も備える、請求項15または16に記載のネイルプリント装置の画像処理方法。
【請求項１８】
前記ユーザの爪モデルの前記中心が移動すると、前記第2パターンの前記中心と前記ユーザの爪モデルの前記中心とが一致するように、前記第2画像の前記中心が移動する、請求項15から17のいずれか一項に記載のネイルプリント装置の画像処理方法。
【請求項１９】
前記タッチスクリーンをタッチすることによって前記第2パターンの位置を調整するステップと、
前記タッチスクリーンをタッチすることによって前記第2パターンを比例的に拡大または縮小するステップと、
回転調整、水平ミラーリング調整、または垂直ミラーリング調整のうちの少なくとも1つに基づいて前記第2パターンを調整するステップと、
をさらに備える、請求項15から18のいずれか一項に記載のネイルプリント装置の画像処理方法。
【発明の詳細な説明】
【技術分野】
【０００１】
関連出願の相互参照
本出願は、参照によりその内容が全て本明細書に組み込まれる、2019年1月14日出願の中国特許出願第201910033488．0号明細書、2019年1月14日出願の中国特許出願第201910032943．5号明細書、2019年1月14日出願の中国特許出願第201910032951．X号明細書、2019年1月14日出願の中国特許出願第201910032969．X号明細書、2019年1月14日出願の中国特許出願第201910032978．9号明細書、および2019年1月14日出願の中国特許出願第201920066496．0号明細書の優先権を主張する。
【０００２】
本開示はネイルプリントの分野に関し、具体的にはネイルプリント装置の印刷方法およびシステム、ならびにその媒体に関する。
【背景技術】
【０００３】
生活水準が向上するにつれて、ますます多くの人々が着飾ろうとしている。たとえば、多くの女性は爪に様々なパターンを印刷することを選択する。パターンが爪に印刷されている間、顧客はパターンを印刷するためにネイルプリント装置を使用してもよい。ネイルプリント装置の現在の印刷方法では、印刷される画像を選択し、および／または画像を調整することは複雑および／または不便であり、ネイルにパターンを印刷するのは時間がかかって非効率的である。また、印刷パターンが爪の周りの指に印刷される可能性がある。したがって、パターンが印刷された後、爪の周りの指をきれいにする必要があるが、クリーニングプロセスは面倒である。各顧客は現在の印刷方法を使用して長時間を要し、効率は比較的低い。
【０００４】
場合によっては、現在のネイルプリント装置は、爪の位置が適切であるか否か、および／または爪が揺れているか否かを判断できない。爪の位置が不適切である場合、および／または爪が揺れている場合、爪の上のパターンが揺れて、パターンは爪の上に完全に表示されず、これによって印刷効果に影響を及ぼし、比較的悪いユーザ体験を有することになる。
【０００５】
したがって、従来技術のためのより効率的なネイルプリントスキームを提供する必要がある。
【発明の概要】
【０００６】
本開示は、従来の印刷方法の効率が悪く、爪の周りの指にパターンが印刷されるという技術的問題を解決するための、ネイルプリント装置の印刷方法、システム、および媒体を開示し得る。
【課題を解決するための手段】
【０００７】
第1の態様では、本開示はネイルプリント装置の印刷方法を開示し得る。ネイルプリント装置は、タッチスクリーンを含み得る。タッチスクリーンは、第1インターフェースを表示するように構成され得る。第1インターフェースは、第2領域を含み得る。ネイルプリント装置の印刷方法は、第2領域にユーザの爪モデルを表示するステップと、第2領域に第2パターンを表示するステップと、を含み得る。ユーザの爪モデルは第2パターンの少なくとも一部と重複してもよく、ユーザの爪モデルと重複する第2パターンの少なくとも一部は印刷パターンとして使用されてもよく、印刷命令に基づいて印刷パターンを印刷する。
【０００８】
第2の態様では、本開示は、ネイルプリント装置の印刷システムを開示し得る。ネイルプリント装置は、タッチスクリーンを含み得る。タッチスクリーンは、第1インターフェースを表示するように構成され得る。第1インターフェースは、第2領域を含み得る。ネイルプリント装置の印刷システムは、第2領域にユーザの爪モデルを表示するように構成されたモデル表示モジュールと、第2領域に第2パターンを表示するように構成されたパターン表示モジュールであって、ユーザの爪モデルは第2パターンの少なくとも一部と重複してもよく、ユーザの爪モデルと重複する第2パターンの少なくとも一部は印刷パターンであってもよい、パターン表示モジュールと、印刷命令に基づいて印刷パターンを印刷するように構成された印刷モジュールと、を含み得る。
【０００９】
第3の態様では、本開示は、ネイルプリント装置をさらに提供し得る。ネイルプリント装置は、ストレージ、処理デバイス、およびストレージ内に格納されて処理デバイス内で動作するコンピュータプログラムを含み得る。処理デバイスは、プログラムの実行中に本開示による第1の態様のネイルプリント装置の印刷方法を実施し得る。
【００１０】
第4の態様では、本開示は、コンピュータプログラムが格納されたコンピュータ可読媒体をさらに提供し得る。プログラムは、本開示の第1の中によって提供されたネイルプリント装置の印刷方法を実施するために、処理デバイスによって実行され得る。
【００１１】
従来技術と比較して、本開示は、ネイルプリント装置の印刷方法およびシステム、ならびにその媒体を提供し得る。ユーザの爪モデルと重複するパターンの一部は、印刷パターンとして使用され得る。ユーザの爪モデルと重複するパターンの部分のみが印刷中に印刷されてもよく、これによって印刷されるパターンを減少させ、インクを節約し、インクカートリッジの使用時間を延長し、コストの削減に役立つ。ユーザの爪モデル以外のパターンは印刷されない。印刷が完了した後、爪の周りの指にインクは噴霧されず、爪の周りの指でオーバーフロー防止接着剤を使用する必要がなくなり、これによってコストを節約するのみならず、印刷前にオーバーフロー防止接着剤をコーティングし、印刷後にオーバーフロー防止接着剤を洗浄する2つのプロセスも削減し、ネイルプリント効率を向上させる。
【００１２】
本開示は、既存のタッチスクリーンがユーザの爪の輪郭を表示しないとうまく機能しないという技術的問題を解決するためのネイルプリント装置を提供し得る。
【００１３】
本開示はネイルプリント装置を提供し、ネイルプリント装置は、制御モジュール、カメラデバイス、およびタッチスクリーンを含み得る。カメラデバイスおよびタッチスクリーンは、制御モジュールに電気的に接続され得る。カメラデバイスは、ユーザの指の写真または動画を撮影するように構成され得る。タッチスクリーンは、リアルタイムでカメラデバイスによって取り込まれたユーザの指画像を表示し、ユーザの指画像において爪の輪郭に対応するユーザの爪モデルを強調するように構成され得る。
【００１４】
好ましくは、ネイルプリント装置は、印刷デバイスを含み得る。印刷デバイスおよび制御モジュールは電気的に接続され得る。タッチスクリーンは、ユーザが印刷のために選択するための第1パターンを表示するように、さらに構成され得る。制御モジュールは、ユーザの指画像内の爪の輪郭を識別するように構成され得る。制御モジュールは、ユーザによって選択された第1パターンに対応する爪の輪郭内にパターンを印刷するように、印刷デバイスを制御するようにさらに構成され得る。
【００１５】
好ましくは、爪の輪郭上に印刷されたパターンは、第1パターンの一部または全体と一致し得る。
【００１６】
好ましくは、タッチスクリーンは第1インターフェースを表示するように構成されてもよく、第1インターフェースは第1領域および第2領域を含んでもよい。第1領域は、複数の第1パターン、および複数の第1パターンからユーザによって選択およびタッチされた第1パターンを表示するように構成され得る。第2領域は、ユーザの爪モデル122および第2パターン121を表示するように構成されてもよく、第2パターン121の位置および／またはサイズはユーザによって調整され得る。ユーザの爪モデルと重複する第2パターンの少なくとも一部は、印刷パターンとして使用され得る。第2パターンは、選択された第1パターンと一致してもよい。
【００１７】
好ましくは、第1インターフェースは第3領域を含み、第3領域は、第2パターンがユーザの爪モデルに適合する効果印刷画像を表示するように構成されてもよい。第1領域、第2領域、および第3領域は、タッチスクリーン上の右から左に連続して配置されてもよい。
【００１８】
好ましくは、第1インターフェースは第4領域をさらに含んでもよく、第4領域は、操作アイコンを表示し、対応する操作を実行するためにユーザが操作アイコンにタッチするように構成されてもよい。
【００１９】
好ましくは、タッチスクリーンは、第2パターンの位置を調整するため、および／または第2パターンのサイズを比例的に拡大または縮小するためのユーザのタッチ操作に使用されてもよい。
【００２０】
好ましくは、第2領域が最初に第2パターンを表示するとき、第2パターンの中心はユーザの爪モデルの中心と重複してもよい。
【００２１】
好ましくは、ネイルプリント装置は、指紋識別モジュールを含み得る。指紋識別モジュールおよび制御モジュールは、電気的に接続され得る。指紋識別モジュールは、ネイルプリント装置のロックを解除するための指紋を識別するように構成され得る。
【００２２】
好ましくは、ネイルプリント装置は、無線通信モジュールをさらに含み得る。無線通信モジュールおよび制御モジュールは、電気的に接続され得る。無線通信モジュールは、外部のインテリジェント端末と無線接続によって通信するように構成され得る。
【００２３】
従来技術と比較して、本開示の実施形態は、ネイルプリント装置を提供し得る。ネイルプリント装置は、制御モジュール、カメラデバイス、およびタッチスクリーンを含み得る。カメラデバイスおよびタッチスクリーンは、制御モジュールに電気的に接続され得る。カメラデバイスは、ユーザの指の写真または動画を撮影するように構成され得る。タッチスクリーンは、リアルタイムでカメラデバイスによって取り込まれたユーザの指画像を表示し、ユーザの指画像において爪の輪郭を強調するように構成され得る。タッチスクリーンは、ユーザがユーザの輪郭をはっきりと見ることができるように、リアルタイムでユーザの爪の輪郭を強調し得る。ユーザの爪がゆがんでいるとき、ユーザはこれを視覚的に見て調整してもよい。ユーザ体験は良好で、パターン印刷効果は改善され、リアルタイムで表示され得る。ユーザの指が動くと爪の輪郭も一緒に動くことができ、動的効果は良好であり得る。
【００２４】
制御モジュールは、ユーザによって選択された第1パターンにしたがって爪の輪郭内にパターンを印刷するように、印刷デバイスを制御するようにさらに構成され得る。ユーザの爪の輪郭の外側の皮膚には印刷されないので、印刷材料および印刷時間を節約することができる。現在の市場では、ネイルプリント装置は、パターンの印刷中に爪の周りの指にインクが噴霧されるのを防止するために、ネイルプリントの前に爪の周りに隔離用接着剤をコーティングする必要があるかも知れない。隔離用接着剤は、印刷が完了した後に除去され得る。この実施形態によって提供されるネイルプリント装置は、爪の輪郭の内側のみに印刷することができ、インクは指には噴霧されず、隔離用接着剤は事前にコーティングする必要がなく、印刷後に隔離用接着剤を除去する必要がないので、ネイルプリントステップを削減し、印刷時間を節約し、ネイルプリントの効率を向上させることができる。
【００２５】
本開示は、画像の選択および調整を容易にしないという問題を解決するための、ネイルプリント装置の印刷方法を提供し得る。
【００２６】
本開示は、ネイルプリント装置の印刷方法を提供し、ネイルプリント装置はタッチスクリーンを含み得る。タッチスクリーンは、第1インターフェースを表示するように構成され得る。第1インターフェースは、第1領域および第2領域を含み得る。第1領域は、複数の第1パターンを含み得る。ネイルプリント装置の印刷方法は、ユーザによって第1領域内の第1パターンのうちの1つを選択し、第1パターンにしたがって第2領域内に第2パターンを表示するステップであって、第2パターンは第2領域内に予め表示されたユーザの爪モデルと重複する、ステップと、第2パターンとユーザの爪モデルとの間の重複の位置およびサイズを調整するステップと、第2パターンとユーザの爪モデルとの間の重複のパターンをユーザの爪に印刷するように、所定の印刷パターンをユーザがクリックするステップと、を含み得る。
【００２７】
従来技術と比較して、本開示は、ネイルプリント装置の印刷方法を提供し得る。爪画像内の爪の輪郭を識別し、爪の輪郭に対応するユーザの爪モデルを表示することによって、所定の画像ライブラリからパターンを選択して印刷されるパターンを生成し、印刷されるパターンはユーザの爪モデルと重複しており、印刷されるパターンを調整し、印刷される調整済みパターンを標的の爪に印刷する。パターンは、迅速に選択されて標的の爪に印刷され、パターンが選択された後、パターンは、予想される効果のサイズまたは位置を取得するために調整され得る。
【図面の簡単な説明】
【００２８】
【図１Ａ】本開示の第1の実施形態によるネイルプリント装置を示す構造図である。
【図１Ｂ】本開示の第1の実施形態によるネイルプリント装置を示す構造図である。
【図２】本開示の第1の実施形態によるタッチスクリーンの第1インターフェースを示す概略図である。
【図３】本開示の第1の実施形態によるタッチスクリーンの第2インターフェースを示す概略図である。
【図４】本開示の第2の実施形態によるネイルプリント方法を示すフローチャートである。
【図５】本開示の第3の実施形態によるネイルプリント装置の爪の領域画像を取得する方法を示すフローチャートである。
【図６】本開示の第4の実施形態によるネイルプリント装置の爪の領域画像を取得する方法を示すフローチャートである。
【図７】本開示の第5の実施形態によるネイルプリント装置の爪の領域画像を取得する方法を示す構造図である。
【図８】本開示の第6の実施形態によるネイルプリント装置の画像処理方法を示すフローチャートである。
【図９】本開示の第7の実施形態によるネイルプリント装置の画像処理方法を示すフローチャートである。
【図１０】本開示の第8の実施形態によるネイルプリント装置の画像処理方法を示すフローチャートである。
【図１１】本開示の第9の実施形態によるネイルプリント装置の画像処理方法を示す構造図である。
【図１２】本開示の第10の実施形態によるネイルプリント装置の印刷方法を示すフローチャートである。
【図１３】本開示の第11の実施形態によるネイルプリント装置の印刷方法を示すフローチャートである。
【図１４】本開示の第12の実施形態によるネイルプリント装置の例示的な印刷システムを示す構造図である。
【図１５】本開示の第13の実施形態による例示的なネイルプリント装置を示す構造図である。
【図１６】本開示の第14の実施形態によるネイルプリント装置の印刷方法を示すフローチャートである。
【発明を実施するための形態】
【００２９】
本開示は、特定の実施形態および図面を参照して、詳細に説明される。本明細書で説明される特定の実施形態は、本開示の限定ではなく、むしろ本開示の単なる例示であることを理解すべきである。また、説明を簡単にするために、本開示に関連する構造の全てではなく一部のみが図面に示されることにも留意すべきである。
【００３０】
例示的な実施形態を詳細に論じる前に、いくつかの例示的な実施形態が、フローチャートとして図示されるプロセスまたは方法として説明されることに言及すべきである。フローチャートは各ステップを連続プロセスとして説明するが、ステップの多くは平行して、共起的に、または同時に実施されてもよい。さらに、一連のステップの各々は並べ替えられてもよい。プロセスは、その動作が完了したときに終了してもよいが、図面に含まれない追加ステップを有することもできる。プロセスは、方法、機能、手順、サブルーチン、サブルーチンなどに対応し得る。
【００３１】
加えて、用語「第1」、「第2」などは本明細書において、様々な方向、行為、ステップ、または要素などを説明するために使用され得るが、このような配向、行為、ステップ、または要素はこれらの用語によって限定されない。これらの用語は、第1の方向、動作、ステップ、または構成要素を別の方向、動作、ステップ、または構成要素から分離するようにのみ構成され得る。たとえば、第1の速度差は、本開示の範囲から逸脱することなく第2の速度差であってもよく、同様に、第2の速度差は第1の速度差と称されてもよい。第1の速度差および第2の速度差はいずれも速度差であるが、これらは同じ速度差ではない。用語「第1」、「第2」などは、示される技術的特徴の数を示す相対的な重要性または暗示を表示または暗示すると解釈されてはならない。したがって、「第1」または「第2」を定義する特徴は、特徴のうちの1つ以上を明示的または暗示的に含み得る。本開示の説明において、「複数の」とは、別途特に定義されない限り、少なくとも2つ、たとえば2つ、3つ、などを意味する。
【００３２】
図1Aまたは図1Bを参照すると、本開示の第1の実施形態は、ネイルプリント装置1を提供し得る。ネイルプリント装置1は、タッチスクリーン2、爪ホルダ（図示せず）、カメラデバイス3、制御モジュール4、および印刷デバイス5を含み得る。タッチスクリーン2、カメラデバイス3、および印刷デバイス5は、制御モジュール4に電気的に接続され得る。爪ホルダは、ユーザの爪（「ユーザの爪」とも称される）またはユーザの指（「ユーザの指」とも称される）を保持するように構成され得る。カメラデバイス3は、ユーザの指の写真を撮影し得る。制御モジュール4は、カメラデバイス3によって撮影されたユーザの指の動画または写真に基づいて、爪および／または爪の輪郭（「爪輪郭」とも称される）の位置、形状、サイズを判断し得る。タッチスクリーンは、爪輪郭内に印刷するなど、印刷デバイス5を使用してユーザの爪にパターンを印刷するためのユーザのタッチ操作を実施するように構成され得る。
【００３３】
カメラデバイス3はユーザの指を取り込んでもよく、取り込みはユーザの爪の画像（「ユーザの指の写真」とも称される）であってもよい。カメラデバイス3はカメラであってもよい。たとえば、カメラのタイプはデジタルカメラ、アナログカメラ、カラーカメラ、または階調カメラに限定されなくてもよい。
【００３４】
制御モジュール4は、接続された様々なモジュールまたはデバイスの動作を制御するように構成され得る。制御モジュール4は、制御チップ、または産業用コンピュータなどの集積デバイスであってもよい。
【００３５】
図2および図3を参照すると、タッチスクリーン2は、異なる操作インターフェースを表示するようにも構成され得る。この実施形態では、タッチスクリーン2は、第1インターフェース10および第2インターフェース20を表示するように構成され得る。第1インターフェース10は、第2インターフェース20を操作することによってアクセスすることができる。第2インターフェース20は、ネイルプリント装置1のブートインターフェースとして使用されてもよい。第2インターフェース20は、異なる機能インターフェースにアクセスするための複数の機能領域を含んでもよい。第1インターフェース10は印刷インターフェースであってもよい。タッチスクリーン2は、通常のタッチスクリーンの構造を有してもよい。具体的には、タッチスクリーン2は、表示スクリーンおよびタッチスクリーンを含み得る。タッチスクリーンはディスプレイの上側に配置されてもよく、タッチスクリーンはタッチ機能および表示機能を有し得る。本開示の実施形態のうち、タッチスクリーン2を表示するだけでよく、タッチスクリーン2にタッチする必要のない実施形態では、タッチスクリーン2は表示スクリーンに置き換えられてもよいことを、理解すべきである。
【００３６】
第2インターフェース20は、第5領域21、第6領域22、第7領域23、および第8領域24を含み得る。第5領域21、第6領域22、第7領域23、および第8領域24は、部分的に重複してもよく、または異なる表示領域であってもよい。この実施形態では、第5領域21、第7領域23、および第8領域24は異なる表示領域であってもよい。第5領域21および第6領域22の一部は互いに重複してもよい。第6領域22は、第5領域21の上層に配置されてもよい。
【００３７】
第7領域23は、アカウント管理情報を表示し、ユーザのタッチ（「ユーザのタッチ」とも称される）によってアカウント情報を入力するために、使用され得る。ユーザが第7領域23内のユーザログインアイコンをクリックすると、ユーザは自分のアカウントにログインすることができる。ユーザがアカウントを有していないとき、ユーザは第7領域23内のアカウント登録アイコンをクリックすることによって、自分のアカウントの登録を申請することもできる。当然ながら、いくつかの実施形態では、第7領域23内の（クイックレスポンス）QRコード（登録商標）の登録オプションにおいて、ユーザはモバイル端末を介してQRコード（登録商標）を走査することによって、ネイルプリント装置1およびモバイルアカウントに同期的にログインしてもよい。モバイル端末およびネイルプリント装置1の同期は、リソース同期を実現し、使い勝手を向上させることができる。
【００３８】
第8領域24は、ユーザが再生するための動画を選択し、再生された動画に対してタッチ操作を実行するために、使用され得る。動画は、広告、ネイルプリントのチュートリアルなどを含み得る。タッチ操作は、動画の再生、動画の停止、再生時間のドラッグなどの操作を含むことができるが、ここでは列挙しない。いくつかの実施形態では、第8領域24は、ユーザがネイルプリントのチュートリアル動画を操作してこれを再生するために使用され得る。第8領域24をクリックすることによって、ユーザは、ネイルプリント装置1がどのように動作するかを理解するためにネイルプリント装置1の使用チュートリアルを見ることができる。
【００３９】
第5領域21は、異なる画像カタログを含み得る。異なる画像カタログは、異なる第3パターン211を含むことができ、第3パターン211の同じ部分を含むこともでき、すなわち第5領域21は、異なる画像カタログ、選択された画像カタログの下の第3パターン211、およびユーザのタッチによって選択された第3パターン211を表示するように構成され得る。選択された第3パターン211は、ユーザの爪に印刷され得る。ユーザが第3パターン211をクリックすると、第3パターン211が選択され得る。いくつかの実施形態では、第3パターン211を選択した後、第3パターン211は、設定位置（たとえば、タッチスクリーンの中央位置）で一時停止、拡大、および表示され、ユーザは拡大および表示された第3パターン211を左、右、上側、または下側にスライドさせることができる。第3パターン211は、パターン位置を対応する側にスライドさせ、設定サイズに縮小することができる。左側、右側、上側、または下側の隣接位置にある第3パターン211は、前述の設定位置にスライドして拡大表示されてもよい。選択アイコンは、拡大された第3表示パターン211の円周側に表示されてもよい。たとえば、第3パターン211の下の位置に5つ星アイコンが配置されてもよい。ユーザが5つ星アイコンをクリックすると、第3パターン211は指定された画像カタログに入ることができる。5つ星アイコンは一例に過ぎず、技術的解決策に対する限定として使用されるものではなく、他の実施形態では他の形状のアイコンも使用され得る。この実施形態では、画像カタログは、少なくとも第1パターンカタログ212および第2パターンカタログ213を含み得る。第1パターンカタログ212は、第2パターンカタログ213からユーザによって選択された第3パターン211を格納するように構成され得る。第2パターンカタログ213は、オペレータによって設計された第3パターン211または第三者によってアップロードされた第3パターン211を格納するように構成され得る。いくつかの実施形態では、第1パターンカタログ212は、お気に入りパターンカタログであってもよい。第2パターンカタログ213は、オペレータパターンカタログであってもよい。第1パターンカタログ212はユーザのお気に入りパターンであってもよく、このカタログ内のパター
ンはユーザによって選択および追加され得る。たとえば、第2パターンカタログ213からこれらを追加するか、またはウェブからこれらをダウンロードすることができる。第1パターンカタログ212は、ユーザのアカウント（「ユーザカウント」とも称される）に関連付けられてもよい。異なるアカウントにログインすると、異なる第3パターン211が第1パターンカタログ212に設定され得る。タッチスクリーン2がユーザの画像パターンを表示する命令を受信すると、画像パターンを表示する命令に対応するパターンが第5領域21に表示され得る。具体的には、画像パターンを表示する命令は、ユーザの画像カタログの下のパターンカタログをクリックすることであってもよい。ユーザがタッチスクリーンの第5領域21の画像カタログ内のオペレータパターンカタログをクリックすると、オペレータパターンカタログに対応する第3パターン211が第5領域21に表示され得る。画像カタログが複数の小さなサブカタログも含み得ることは、理解されるべきである。画像のサブカタログは、少なくとも1つの対応する第3パターン211を含み得る。具体的には、オペレータパターンカタログは、漫画カタログ、ゲームカタログ、風景カタログ、および動物カタログを含み得る。漫画カタログは、漫画またはアニメのキャラクターのパターンを含み得る。ゲームカタログは、ゲームキャラクターのパターンを含み得る。風景カタログは、美しい風景のパターンを含み得る。動物カタログは、異なる動物のパターンを含み得る。タッチスクリーン2がユーザの追加命令を受信すると、追加命令および第2パターンカタログ213に対応する第3パターン211が第1パターンカタログ212に追加され得る。具体的には、追加命令は、ユーザによって選択されたパターンカタログ内の第3パターン211を押すことであってもよい。ユーザが第3パターン211を長時間押すと、長押しされた第3パターン211は第1パターンカタログ212に追加され得る。「長押し」は、2秒より長く押すことと定義され得る。ユーザは、これらを爪に印刷するために第5領域21を通じてお気に入りパターンを選択することができる。画像の分類は、ユーザが第3パターン211の関心のあるカタログを迅速に見つけるのに役立ち、第3パターン211はより便利に迅速に選択され得る。第3のアイコンをクリック
するかまたは選択された第3パターン211を長押しすることによって対象のカタログに第3パターン211を追加することで、操作をよりスマートにする。
【００４０】
第6領域22は、操作アイコンを表示するために、および対応する操作インターフェースに入るために操作アイコンをユーザがタッチするために、使用され得る。本実施形態では、第6領域22は、ペイント印刷アイコン221およびシステム設定アイコン222を含み得る。第6領域22は、ペイント印刷アイコン221およびシステム設定アイコン222を表示するように構成され得る。ペイント印刷アイコン221およびシステム設定アイコン222はいずれもフローティングアイコンであり得る。ユーザは、ペイント印刷アイコン221およびシステム設定アイコンの位置を第2インターフェース20内に変更するために、ペイント印刷アイコン221およびシステム設定アイコン222をドラッグしてもよい。ペイント印刷アイコン221およびシステム設定アイコン222の位置は限定されず、ペイント印刷アイコン221およびシステム設定アイコン222の位置は自由にドラッグされ得ることを、理解すべきである。
【００４１】
ユーザがシステム設定アイコン222をクリックすると、ユーザはシステム設定インターフェースに入り、ユーザはネイルプリント装置1のオペレーティングシステムを設定することができる。第3パターン211をクリックするとき、ユーザは対応する動作を実行するために第2インターフェース20から第1インターフェース10に入り、最終的にユーザの爪に選択された第3パターン211を印刷するために、ペイント印刷アイコン221をクリックおよびタッチしてもよい。ペイント印刷アイコン221をクリックするとき、ユーザは第2インターフェース20から第1インターフェース10に入り、第1インターフェース10を操作することによって印刷するための第3パターン211を選択できることを、理解すべきである。
【００４２】
図3を参照すると、第1インターフェース10は、第1領域11、第2領域12、第3領域13、および第4領域14を含み得る。第1領域11、第2領域12、第3領域13、および第4領域14は、部分的に重複してもよく、または異なる領域であってもよい。この実施形態では、第1領域11、第2領域12、第3領域13、および第4領域14は異なる表示領域であってもよい。第1領域11、第2領域12、および第3領域13は、タッチスクリーン2の表示インターフェース上の右から左に連続して配置されてもよい。
【００４３】
第1領域11は、複数の第1パターン111、および複数の第1パターン111からユーザによって選択およびタッチされた第1パターン111を表示するように構成され得る。タッチのモードは一般的であり、たとえばシングルクリック、ダブルクリック、またはドラッグであってもよい。第1パターン111は、第2インターフェース20の第1パターンカタログ212の下の第3パターン211に対応してもよい。第1領域11に表示される第1パターン111は、第2インターフェース20の第1パターンカタログ212の第3パターン211と同じであってもよい。第1パターン111が大きすぎて、第1領域11が第1パターン111全体を表示できないとき、ユーザは、第1パターン111の他の部分を表示するためにタッチスクリーンの第1領域をスライドさせるなど、タッチスクリーンをスライドさせてもよく、または特定の方向にスライドさせるために第1パターン111をクリックしてもよい。特定の方向は、上、下、左、または右であってもよい。タッチスクリーン2にタッチしてスライドさせることによって第1パターン111の他の部分を見ることは、非常に便利であろう。
【００４４】
第2領域12は、ユーザの爪モデル122および第2パターン121を表示するように構成され得る。第2パターン121の位置および／またはサイズは、ユーザによって調整され得る。第2パターン121は、選択された第1パターンと一致してもよい。ユーザが第1領域11の第1パターン121をクリックすると、第1パターン111に対応する第2パターン121が第2領域12に表示され得る。ユーザの爪モデル122は、カメラデバイス3によって撮影されたユーザの指の動画または写真に基づいて制御モジュール4によって識別された爪の領域の画像（「領域画像」とも称される）であってもよい。ユーザの爪モデル122は、ユーザの爪に対応し得る。いくつかの実施形態では、第2領域は、リアルタイムでユーザの指画像に対応するユーザの爪モデル122を表示し得る。いくつかの実施形態では、カメラデバイス3はユーザの指のユーザの指画像を撮影し、制御モジュールはユーザの指画像に基づいて爪の輪郭を識別してもよい。ユーザが爪ホルダ上の爪を動かすと、ユーザの爪が動くのにつれてユーザの爪モデル122も動く。第2領域12では、印刷の前に爪を標準配置に調整するように、ユーザの爪モデル122は、爪が正しい位置にあるか否か、または爪がゆがんでいるか否かをユーザが確認しやすいように表示されてもよく、これによってより良い視認性、良好なユーザ体験、より良い印刷品質およびユーザ満足度を有することができる。好ましくは、第2領域12はリアルタイムでカメラデバイス3によって撮影されたユーザの指の画像も表示し得る。好ましくは、ユーザの爪モデル122が表示されると、ユーザの爪モデル122は強調され、ユーザの爪モデルはユーザの爪モデルの周りの色またはパターンよりも鮮明または明るくなり得る。具体的には、白または他の高輝度ベース接着剤で爪がコーティングされると、これは後に制御モジュール4によって識別され、最終的にリアルタイムでタッチスクリーン上に表示され得る。ユーザの爪に対応するユーザの爪モデル122の効果は、他の部分よりも「明るく」見える。当然ながら、処理デバイスが、識別されたユーザの爪モデルを強調するためにこれに対して輝度補正を実行することもまた可能であり、もしくは第2領域のユーザの爪モデル以外の領域の背景色が暗黒色であってもよい。第2領域では、印刷の前に爪を標準配
置に調整するように、ユーザの爪モデル122は、爪の配置が正しいか否か、または爪がゆがんでいるか否かをユーザが確認しやすいように表示されてもよく、これによってより良い視認性、良好なユーザ体験、より良い印刷品質およびユーザ満足度を有することができる。最初に表示されるとき、第2パターン121は第1パターン111と同じサイズであってもよく、または第1パターン111のサイズと一致しなくてもよいことを、理解すべきである。第2パターン121の位置および／またはサイズは、ユーザによって引き続き変更され得る。具体的には、ユーザは、タッチスクリーン2上のマルチタッチ方式を使用して、第2パターン121のサイズを変更してもよい。ユーザが2本の指を用いて第2領域12内の第2パターン121の2つの異なる位置にタッチした場合、第2領域12内で2本の指をスライドさせて2本の指の間の距離を調整することによって、第2パターン121のサイズを調整できる。2本の指の間の距離が増加すると、第2パターン121は拡大され得る。2本の指の間の距離が減少すると、第2パターン121は縮小され得る。第2パターン121はタッチ方式によって容易かつ迅速に操作でき、第2パターン121はゆがまず、調整効果はより良好であり、これは印刷効果およびユーザ満足度の向上に有利であり得る。タッチスクリーン2は、第2パターン121の位置を変更するためにユーザによって操作され得る。たとえば、ユーザは1本の指で第2領域12の第2パターン121にタッチしてもよく、第2パターン121の位置は第2領域12内で指をスライドさせることによって変更できる。第2パターン121のサイズおよび位置が変更されると、パターンを印刷する必要のあるユーザの指は爪ホルダ上で動かず、第2領域12のユーザの爪モデル122も動かない。ユーザの爪モデル122および第2パターン121は部分的に重複してもよい。ユーザの爪モデル122および第2パターン121の重複したパターンは、印刷パターンとして、すなわちユーザの爪の輪郭に印刷されるパターンとして、使用され得る。印刷パターンは、パターンの一部または第2パターン121の全体であってもよく、すなわち爪の輪郭上に印刷されるパターンは第1パターン111の一部または全体と一致し得る。タッチスクリーン2はまた、ユーザが印刷のために選択するため第1
パターン111を表示するように構成され得る。制御モジュール4は、ユーザの指の画像における爪の輪郭を識別し得る。制御モジュール4は、ユーザによって選択された第1パターン111に対応する爪の輪郭内にパターンを印刷するように、印刷デバイス5を制御し得る。爪の輪郭上に印刷されたパターンは、第1パターン111の一部または全体であってもよい。いくつかの実施形態では、爪の輪郭上のパターンの領域の面積は、爪の輪郭の領域の面積の90％から99％であってもよい。爪の輪郭上のパターンの領域の面積は、ユーザの爪の縁にパターンがないように、爪のサイズよりも小さくてよい。ユーザが爪を使うときに、パターンが損傷せず、良好な外観を維持し得る。第2パターン121およびユーザの爪モデル122の重複パターンは印刷パターンとして使用されてもよく、これは印刷インクを節約してコストを削減するのに有利であり得る。ユーザの爪の周りの指が印刷されにくいので、爪の周りの指に隔離用接着剤をコーティングする必要がなく、これによって印刷後のクリーニングステップを省略し、ネイルプリント効率を向上できる。いくつかの実施形態では、ユーザは2本の指を用いて第2領域12内の第2パターン121の異なる位置にタッチし、2本の指を同期的にスライドし、2本の指の間の距離は変わらず、第2パターン121の位置は相応に指を追う。あるいは、タッチスクリーンが最初に第2パターン121を表示するとき、第2パターン121の中心はユーザの爪モデル122の中心と重複し得る。この実施形態における中心は、幾何学的中心または幾何学的重心であってもよく、本明細書では特に限定されない。通常のパターンでは、幾何学的中心は幾何学的重心と重複し得る。
【００４５】
第3領域13は、第2パターン121がユーザの爪モデル122に適合する印刷効果画像を表示するように構成され得る。第2パターン121がユーザの爪モデル122に適合する印刷効果画像は、ユーザの爪モデル122の形状およびサイズに適合する第2パターン121の部分を判断し、これをユーザの爪モデルに貼り付け、次いでこれを第3領域13に表示し得る。したがって、ユーザは、第3領域13内の自分の爪に印刷パターンを印刷する効果をプレビューすることができ、これによってユーザがお気に入りパターンを選択してパターンを最良の印刷効果に調整することを容易にするが、これは非常に実用的である。
【００４６】
第4領域14は、操作アイコンを表示して、対応する操作を実行するための操作アイコンにユーザがタッチするように構成され得る。具体的には、操作アイコンは、回転アイコン、水平ミラーリングアイコン、垂直ミラーリングアイコン、および印刷アイコンを含み得る。ユーザが回転アイコンにタッチすると、第2パターン121が回転できる。ユーザが垂直ミラーリングアイコンにタッチすると、第2パターン121が垂直ミラーリングを実施できる。ユーザが印刷アイコンにタッチすると、ユーザの爪にパターンを印刷できる。操作しやすく効率的な画像調整のための一般的なショートカットを（第4領域で）設定することによって印刷効率を向上するために第2パターンを迅速に調整することは、ユーザにとって便利であろう。
【００４７】
いくつかの実施形態では、第2領域12は、第1の期間においてリアルタイムでユーザの爪モデル122を表示し、第2の期間においてリアルタイムでユーザの爪モデル122と第2パターン121との間の重複の効果画像を表示し、第2パターン121がユーザによって調整されるとき、リアルタイムでユーザの爪モデル122と第2パターン121との間の重複の効果画像を表示し、すなわちユーザが第2パターン121を調整しているときにタッチスクリーン2はこれをリアルタイムで表示することができ、第3の期間において第2パターン121とユーザの爪モデル122との間の重複のパターンを印刷する印刷プロセスを表示する、ように構成され得る。印刷プロセスは、爪に最初の画素を印刷することから始まり、印刷を完了して終了してもよい。実際の印刷条件は、リアルタイムで表示されてもよく、印刷される第2パターン121に対応する印刷パラメータにしたがってユーザの爪モデル122において第2パターン121の印刷プロセスをシミュレートしてもよい。シミュレーション印刷プロセスは、実際の印刷と同期することができる。第1の期間は、カメラデバイス3の射程距離内の爪ホルダの中に指を配置することから始まり、第2領域12に第2パターン121を表示する前の時間までであってもよい。第2の期間は、第2領域12に第2パターン121を表示することから始まり、印刷の前、すなわち印刷アイコンをクリックする前の時間までであってもよい。第3の期間は、印刷アイコンをクリックすることから始まり、第2パターン121およびユーザの爪モデル122の重複を完全に印刷するまでであってもよい。第2領域12は、異なる期間に異なる表示および／またはタッチモードを設定してもよく、異なる期間に表示される内容は、ユーザが各段階で爪の現在の状態を観察できてユーザ体験がより良くなるように、印刷プロセスにしたがって変化し得る。
【００４８】
要約すると、本開示の実施形態によって提供されるネイルプリント装置は、タッチスクリーン上で異なる領域に分割し得る。第1領域11は、複数の第1パターン111、および複数のパターン111からユーザによって選択およびタッチされた第1パターン111を表示するように構成され得る。第2領域12は、ユーザの爪モデル122および第2パターン121を表示するように構成され得る。第2パターン121の位置およびサイズはユーザによって調整されてもよく、これによってタッチスクリーン2上に表示されるインターフェースを簡単にできる。ユーザは興味のある第1パターン111を直接タッチしてもよく、選択された第1パターン111に対応する第2パターン121が第2領域12に表示され得る。ユーザの操作は簡単であり、爪に印刷したいパターンを迅速に選択できる。また、ユーザの爪モデル122は第2領域12に表示され、ユーザはユーザの爪モデル122の現在の状態に応じて爪の前後左右の位置および角度を調整する必要があるか否かを判断でき、これによってユーザ体験を向上できる。調整された第2パターンおよびユーザの爪モデル122の適合効果によって、ユーザは自分の爪の印刷パターンを視覚的にプレビューすることができ、印刷品質を向上させて顧客満足度を強化するのに役立つ。
【００４９】
引き続き図1Aを参照すると、制御モジュール4は取得モジュール41を含み得る。取得モジュール41は、領域画像またはユーザの爪の画像を取得するように、およびカメラデバイス3を制御することによって領域画像またはユーザの爪の画像を取得するように構成され得る。
【００５０】
制御モジュール4は、モデル表示モジュール42を含み得る。モデル表示モジュール42は、領域画像または爪の画像に対応するユーザの爪モデル122をリアルタイムで第2領域12に表示するように構成され得る。
【００５１】
制御モジュール4は、パターン識別モジュール43を含み得る。パターン識別モジュール43は、第1領域11内でユーザによって選択された第1パターン111を識別するように構成され得る。
【００５２】
制御モジュール4は、パターン表示モジュール44を含み得る。パターン表示モジュール44は、第2領域12に第2パターン121を表示するように構成され得る。第2パターン121の画像は、選択された第1パターン111の画像と一致してもよい。ユーザの爪モデル122および第2パターン121は部分的に重複してもよい。いくつかの実施形態では、第2パターン121の中心はユーザの爪モデル122の中心と重複し得る。いくつかの実施形態では、ユーザの爪モデル122と重複する第2パターン121の部分は印刷パターンであってもよい。
【００５３】
制御モジュール4は、プレビュー表示モジュール45を含み得る。プレビュー表示モジュール45は、印刷パターンがユーザの爪に印刷される効果印刷プレビューを、たとえばリアルタイムで第3領域13に表示するように構成され得る。
【００５４】
制御モジュール4は、第1受信モジュール46を含み得る。第1受信モジュール46は、タッチスクリーンを介して第2パターン121の位置および／またはサイズを調整する調整命令を受信するように構成され得る。
【００５５】
制御モジュール4は、調整モジュール47を含み得る。調整は、印刷パターンを調整する調整命令にしたがって第2パターン121の位置および／またはサイズを調整するように構成され得る。
【００５６】
制御モジュール4は、印刷モジュール403を含み得る。印刷モジュール403は、印刷命令にしたがって印刷パターンを印刷するように構成され得る。
【００５７】
いくつかの実施形態では、制御モジュール4は、第2受信モジュール48をさらに含み得る。第2受信モジュール48は、スライド命令を受信するように構成され得る。
【００５８】
いくつかの実施形態では、制御モジュール4は、スライド表示モジュール49をさらに含み得る。スライド表示モジュール49は、スライド命令にしたがってスライドした後、第1領域11に複数の第1パターン111を表示するように構成され得る。
【００５９】
いくつかの実施形態では、制御モジュール4は、第3受信モジュール401をさらに含み得る。第3受信モジュール401は、中心位置合わせ命令を受信するように構成され得る。
【００６０】
いくつかの実施形態では、制御モジュール4は、位置合わせモジュール402をさらに含み得る。位置合わせモジュール402は、中心位置合わせ命令にしたがって、中心位置合わせ命令に対応する第2パターン121の位置とユーザの爪モデル122の中心とを重複させるように構成され得る。
【００６１】
いくつかの実施形態では、取得モジュール41は、爪画像取得モジュールを含み得る。爪画像取得モジュールは、ユーザの爪の画像（「ユーザの爪画像」とも称される）を取得するように構成され得る。
【００６２】
取得モジュール41は、爪領域画像取得モジュールを含み得る。爪領域画像取得モジュールは、ユーザの爪の画像にしたがって爪の領域画像（「爪領域画像」とも称される）を識別し得る。
【００６３】
爪領域画像取得モジュールは、階調処理モジュールを含み得る。階調処理モジュールは、ユーザの爪の階調画像を取得するために、ユーザの爪の画像に対して階調処理を実行するように構成され得る。
【００６４】
爪領域画像取得モジュールは、平均階調値取得モジュールを含み得る。平均階調値取得モジュールは、ユーザの爪の階調画像の平均階調値を計算するように構成され得る。
【００６５】
爪領域画像取得モジュールは、差分計算モジュールを含み得る。差分計算モジュールは、ユーザの階調画像の平均階調値と所定の背景画像の平均階調値との間の平均階調値の差を取得するように構成され得る。
【００６６】
爪領域画像取得モジュールは、色取得モジュールを含み得る。色取得モジュールは、平均階調値の差が階調値の所定の差分閾値よりも大きいときに、ユーザの爪画像から第1色および第2色を取得するように構成され得る。
【００６７】
爪領域画像取得モジュールは、コントラスト比取得モジュールを含み得る。コントラスト比取得モジュールは、第1色と第2色との間のコントラスト比を取得するように構成され得る。
【００６８】
爪領域画像取得モジュールは、比較モジュールを含み得る。比較モジュールは、コントラスト比を所定のコントラスト比閾値と比較するように構成され得る。
【００６９】
爪領域画像取得モジュールは、標的画像取得モジュールを含み得る。標的画像取得モジュールは、コントラスト比が所定のコントラスト比閾値よりも大きい場合に爪の領域画像を取得するために所定の爪セグメント化アルゴリズムを開始するように構成され得る。
【００７０】
いくつかの実施形態では、取得モジュールは、指画像取得モジュールを含み得る。指画像取得モジュールは、ユーザの指の画像を取得するように構成され得る。
【００７１】
取得モジュールは、爪画像取得モジュールを含み得る。爪画像取得モジュールは、ユーザの指画像にしたがって爪画像を取得するように構成され得る。
【００７２】
爪画像モジュールは、階調処理モジュールを含み得る。階調処理モジュールは、指画像に対して階調処理を実行するように構成され得る。
【００７３】
爪画像モジュールは、色取得モジュールを含み得る。色取得モジュールは、第1色および第2色を取得するように構成され得る。
【００７４】
爪画像モジュールは、コントラスト比取得モジュールを含み得る。コントラスト比取得モジュールは、第1色と第2色との間のコントラスト比を取得するように構成され得る。
【００７５】
爪画像取得モジュールは、比較モジュールを含み得る。比較モジュールは、コントラスト比を所定のコントラスト比閾値と比較するように構成され得る。
【００７６】
爪画像取得モジュールは、標的画像取得モジュールを含み得る。標的画像取得モジュールは、コントラスト比が所定のコントラスト比閾値よりも大きい場合に爪の画像を取得するために所定の爪セグメント化アルゴリズムを開始するように構成され得る。
【００７７】
パターン識別モジュール43は、第1座標取得モジュールを含み得る。第1座標取得モジュールは、第1領域11内のユーザのタッチ座標を取得するように構成され得る。
【００７８】
パターン識別モジュール43は、パターン取得モジュールを含み得る。パターン取得モジュールは、タッチ座標11に対応する第1パターン111を識別するように構成され得る。
【００７９】
パターン表示モジュール44は、第2座標取得モジュールを含み得る。パターン表示モジュール44は、第2領域12の座標を取得するように構成され得る。
【００８０】
パターン表示モジュール44は、第2パターン表示モジュールを含み得る。第2パターン表示モジュールは、ユーザの爪モデル122および第2パターン121が部分的に重複し得るように、第2領域12内の第2パターン121のタッチ座標に対応する第1パターン111の画像を表示するように構成され得る。
【００８１】
制御モジュール4に含まれる各モジュールの機能は、後続の実施形態で説明される。
【００８２】
本開示の第1の実施形態は、ネイルプリント装置1を開示し得る。タッチスクリーン2上の異なる領域を分割することによって、タッチスクリーン2上に表示されたインターフェースは、ユーザが操作するためにシンプルにできる。ユーザは、爪に印刷されるパターンを迅速に選択できる。パターンの一部が印刷のために選択され、ユーザは爪に印刷されるパターンを視覚的にプレビューすることができる。
【００８３】
本開示の第1の実施形態のネイルプリント装置が後続の実施形態として補足および例示され得ることを、理解すべきである。
【００８４】
従来技術と比較して、本開示はネイルプリント装置を提供し得る。ネイルプリント装置は、制御モジュール、カメラデバイス、およびタッチスクリーンを含み得る。カメラデバイスおよびタッチスクリーンは、制御モジュールに電気的に接続され得る。カメラデバイスは、ユーザの指の写真または動画を撮影するように構成され得る。タッチスクリーンは、リアルタイムでカメラデバイスによって取り込まれたユーザの指画像を表示し、ユーザの指画像において爪の輪郭を強調するように構成され得る。タッチスクリーンは、ユーザがユーザの輪郭をはっきりと見ることができるように、リアルタイムでユーザの爪の輪郭を強調し得る。指の輪郭を観察することによって、指の配置位置および爪の平坦度が調整しやすくなり、これによって印刷効果を向上できる。印刷効果はリアルタイムで表示され、ユーザの指が動くと爪の輪郭も一緒に動くことができ、動的効果は良好であり得る。
【００８５】
本開示の制御モジュールは、ユーザによって選択された第1パターンにしたがって爪の輪郭内にパターンを印刷するように印刷デバイスを制御するように、さらに構成され得る。このためユーザの爪の輪郭の外側の皮膚には印刷されないので、印刷材料および印刷時間を節約することができる。現在の市場では、ネイルプリント装置は、パターンの印刷中に爪の周りの指にインクが噴霧されるのを防止するために、ネイルプリントの前に爪の周りに隔離用接着剤をコーティングする必要があるかも知れない。隔離用接着剤は、印刷が完了した後に除去される必要があるかも知れない。この実施形態によって提供されるネイルプリント装置は、爪の輪郭の内側にのみ印刷することができ、インクは指に噴霧されにくく、隔離用接着剤は事前にコーティングする必要も印刷後に除去する必要もないので、ネイルプリントステップを削減し、ネイルプリントの時間を節約し、ネイルプリントの効率を向上させることができる。
【００８６】
図4を参照すると、本開示の第2の実施形態は、上記実施形態に基づくネイルプリント方法を提供し得る。ネイルプリント方法は、制御モジュールによって実行され得る。ネイルプリント方法は、ハードウェアおよび／またはソフトウェアによって実施され、通常はネイルプリント装置に組み込まれる。本開示の第1の実施形態のネイルプリント装置は、ユーザの爪に印刷できる。ネイルプリント方法は、以下を含み得る：
【００８７】
S21：ユーザの爪の領域画像を取得するステップと、
【００８８】
S22：爪の領域画像に対応するユーザの爪モデルをリアルタイムで第2領域に表示するステップと、
【００８９】
S23：第1領域内でユーザによって選択された第1パターンを識別するステップと、
【００９０】
S24：第2領域に第2パターンを表示するステップであって、第2パターンは第1パターンと一致し、ユーザの爪モデルは第2パターンの少なくとも一部と重複し、第2パターンの中心はユーザの爪モデルの中心と重複し、ユーザの爪モデルと重複する第2パターンの少なくとも一部は印刷パターンとして使用され得る、ステップと、
【００９１】
S25：ユーザの爪に印刷パターンを印刷する効果印刷プレビューを、リアルタイムで第3領域に表示するステップと、
【００９２】
S26：タッチスクリーンを介してユーザによって第2パターンの位置および／またはサイズを調整する調整命令を受信するステップと、
【００９３】
S27：ユーザの爪モデル上の印刷パターンの位置および／またはサイズを調整する調整命令に基づいて、第2パターンの位置および／またはサイズを調整するステップと、
【００９４】
S28：印刷命令に基づいて印刷パターンを印刷するステップ。
【００９５】
S21では、ユーザの爪の領域画像は、ユーザの爪の領域のみを含む画像であってもよい。ユーザの爪の領域画像が取得されると、本開示の第1の実施形態に開示されるカメラデバイスによってユーザの爪画像が最初に取得され、制御モジュールはユーザの爪の画像にしたがって爪の領域画像を取得し得る。ユーザの爪画像は、カメラデバイスによって取り込まれた画像のユーザの指、爪、および背景を含むことができ、すなわちユーザの爪画像は上記実施形態のユーザの指画像であってもよい。ユーザの爪の領域画像を取得する方法は、ユーザの爪の領域画像が取得される限り限定されない。
【００９６】
S22では、第2領域は、本開示の第1の実施形態で言及されるように、第1インターフェースの第2領域であってもよい。ユーザの指が爪ホルダ上で揺れる場合、ユーザの爪モデルもまたリアルタイムでユーザの指にしたがって揺れる。好ましくは、ユーザの爪モデルが表示されると、ユーザの爪モデルは強調され、すなわちユーザの爪モデルの周囲の色またはパターンと比較して、ユーザの爪モデルはより鮮明になり、より明るくなり、またはより高い輝度を有することができる。たとえば、第2領域内のユーザの爪モデル以外の領域の背景色は暗黒色であってもよい。ユーザの指が爪ホルダ上に正常に配置されているとき、ユーザの爪モデルの延伸方向は、タッチスクリーンの表示インターフェース上のユーザの視線の上下方向と平行であってもよい。ユーザの爪モデルの延伸方向は、ユーザの視線の左右方向に垂直であってもよい。ユーザの爪モデルの延伸方向は、人間工学的であり、ユーザが観察しやすくなり得る。
【００９７】
S23では、第1領域は、本開示の第1の実施形態で言及されるように、第1インターフェースの第1領域であってもよい。ユーザが第1領域で第1パターンをクリックすると、第1領域でユーザによってクリックされた第1パターンが識別され得る。ユーザによってクリックされた第1パターンは、ユーザによって選択された第1パターンであってもよい。好ましくは、第1領域は、所定の行の第1パターンを含み得る。第1領域は、4行2列の8つの第1パターンを有し得る。これは説明のみを目的とし、技術的解決策の限定ではない。
【００９８】
第1領域は、複数の第1パターンを含み得る。制御モジュールがスライド命令を受信すると、スライド命令にしたがって、スライド後の複数のスライドした第1パターンがリアルタイムで第1領域に表示され得る。スライド命令は、タッチスクリーンの第1領域でのユーザの指のスライド操作によって生成される命令であってもよい。スライド操作は、上へのスライド、下へのスライド、左へのスライド、および右へのスライドであり得る。スライド操作によって、選択された画像をユーザにとって見やすくできる。制御モジュールは、スライド命令に基づいて第1領域でスライドした後に複数の第1パターンを表示してもよい。タッチスクリーン上で指をスライドさせることによって、表示されていない第1パターンを見ることができ、操作性は良好であり、操作は簡単で迅速であり、視覚的な動的効果は良好である。
【００９９】
S24では、ユーザが第1パターンを選択した場合、選択された第1パターンに適合する第2パターンが第2領域に表示されてもよい。第2パターンは、表示のためにユーザの爪モデルの上層を覆い、ユーザの爪モデルの一部と重複してもよい。いくつかの実施形態では、第2パターンの中心はユーザの爪モデルの中心と重複し得る。ユーザは第1パターンをクリックしてもよい。第1パターンに対応する第2パターンは、第2領域内に直接表示され、ユーザの爪モデルの位置までユーザがパターンをドラッグする必要性を伴わずにユーザの爪モデルの中心と重複でき、操作は簡単で迅速である。第2パターンは、ユーザの爪モデルを直接覆ってもよい。第2パターンの画像要素は実質的にユーザの爪モデルであってもよく、ユーザが第2パターンを調整する回数は減少するが、これはパターンを調整する効率を改善するのに有利である。第2パターンのサイズは、ユーザの爪モデルのサイズに適合するように、自動的に調整されてもよい。第2パターンの中心は、同期的に動くようにユーザの爪モデルの中心を追うことができる。ユーザの爪モデルが回転しても、第2パターンは同じ配向のままの場合がある。ユーザの爪モデルが移動すると、第2パターンの位置も同期的に移動する。しかしながら、ユーザの爪モデルがゆがんでいると、第2パターンはユーザの爪モデルのゆがみに追従して回転しない場合がある。ユーザが印刷されるパターンを選択し、爪の位置が十分に正確ではないことがわかると、爪位置が調整され、第2パターンは同期的に爪に追従して移動し、ユーザは再び第2パターンを操作する必要がなく、これは便利で迅速であり、良好なユーザ体験および高度な知性を有し得る。いくつかの実施形態では、第2パターンは、第2パターンのサイズがユーザの爪モデルのサイズに適合するように、所定の比率に基づいて第1パターンから生成され得る。いくつかの実施形態では、第2パターンは、所定の比率にしたがって第1パターンを拡大または縮小することによって生成され得る。いくつかの実施形態では、第2パターンのサイズは、ユーザが第2パターンのサイズを調整できるように、ユーザの爪モデルのサイズ以上であり得る。第1領域に表示された第1パターンがユーザの爪モデル122のサイズよりも小さい場合、所定の比率は1以上であり得る。第1領域に表示された第1パターンがユーザの爪モデル122のサイズよりも大きい場合、所定の比率は1以下であり得る。したがって、第2パターンのサイズはユーザの爪モデルのサイズよりも大きくなり得る。第2パターンの一部が、ユーザの爪に印刷されるように選択され得る。第2パターンおよびユーザの爪モデルの重複パターンは、印刷パターンとして、すなわちユーザの爪に印刷されるパターンとして、使用できる。好ましくは、印刷パターンは、ユーザの爪モデル内に位置するパターンを調整するために、爪に印刷されるパターンの部分の印刷効果をユーザにとって見やすくするために強調されてもよい。好ましくは、第2パターンが第2領域に表示されるとき、第2パターンの長辺はユーザの爪モデルの長辺に等しくてもよい。第2パターンの短辺は、比例的に縮小または拡大され得る。たとえば、第1パターンのサイズはユーザの爪モデルのサイズよりも小さくてもよい。ユーザは第1パターンを選択してもよく、選択された第1パターンに適合する第2パターンが第2領域に表示されると、ユーザがユーザの爪モデルよりも大きい第2パターンを求める場合、ユーザの爪モデルの長辺がユーザの爪モデルの長辺に等しくなるように第2パターンは拡大される必要があり、第2パターンの短辺が拡大され得る。
【０１００】
S25では、第2領域は、本開示の第1の実施形態で言及されるように、第1インターフェースの第2領域であってもよい。ユーザが第1パターンを選択した場合、第1パターンの選択されたパターンに適合する第2パターンが第2領域に表示され、印刷パターンがユーザの爪に表示された効果印刷プレビューが第3領域に表示され得る。効果印刷プレビューは、印刷パターンがユーザの爪モデルに貼り付けられたパターンであってもよい。効果印刷プレビューによれば、ユーザは、自分の指に印刷された印刷パターンが自分の要件を満たすか否かを判断できる。要件が満たされない場合、パターンは時間内に変更されてもよく、これは実用性に沿っている。プレビューパターンを見ることによって、ユーザが満足できる印刷効果を得るように第2パターンを調整するのを支援することができ、ユーザ体験が向上するだろう。
【０１０１】
S26では、ユーザが第2領域に表示された第2パターンの位置またはサイズに不満を抱いたとき、第2パターンの位置および／またはサイズが調整され得る。いくつかの実施形態では、制御モジュールは、タッチスクリーンを介してユーザによって第2パターンの位置および／またはサイズを調整する調整命令を受信し得る。ユーザは、タッチスクリーンを操作することによって調整命令を生成し得る。調整命令は、マルチタッチの移動命令、回転命令、水平ミラーリング命令、垂直ミラーリング命令、または比例スケーリング命令を含み得る。オプションとして、第1インターフェースは、回転アイコン、水平ミラーリングアイコン、および垂直ミラーリングアイコンを含み得る。回転アイコンは、ユーザのタッチに基づいて回転命令を生成するように構成され得る。水平ミラーリングアイコンは、ユーザのタッチに基づいて水平ミラーリング命令を生成するように構成され得る。垂直ミラーリングアイコンは、ユーザのタッチに基づいて垂直ミラーリング命令を生成するように構成され得る。ユーザの指で第1インターフェースを押して、移動命令を生成するために第1インターフェースを押すように指を移動させてもよい。ユーザは、2本の指で第1インターフェースを押して、比例的に拡大または縮小するためのマルチタッチ命令を生成するために第1インターフェースを押した2本の指を移動させてもよい。調整命令を生成する方法がこの実施形態に限定されないことは、理解すべきである。画像調整のための一般的なショートカットを設定することによって印刷効率を向上するために第2パターンを迅速に調整することは、ユーザにとって便利であろう。
【０１０２】
S27では、移動命令にしたがって第2パターンの位置および／またはサイズを移動できる。第2パターンは、反転命令にしたがって反転させられてもよい。第2パターンは、水平ミラーリング命令にしたがって水平にミラーリングされてもよい。第2パターンは、垂直ミラーリング命令にしたがって水平にミラーリングされてもよい。第2パターンは、比例的に拡大または縮小するためのマルチタッチ命令にしたがって、比例的にスケーリングされてもよい。第2パターンをマルチタッチして比例的にスケーリングすることによって、第2パターンの画像が歪んだり変形したりするのを防ぐことができる。調整は、比例的な拡大または縮小のみであってもよく、画像のスケーリング関係は変化しない。既存のネイルプリント装置のいくつかは、印刷効果に影響を及ぼす可能性のある印刷パターンの歪みを引き起こす印刷パターンを調整するために片面ドラッグ方法を使用でき、この技術的解決策はより良い印刷効果を有し得る。
【０１０３】
他の実施形態では、制御モジュールは中心位置合わせ命令を受信し得る。中心位置合わせ命令にしたがって、ユーザの中心位置合わせ命令に対応する第2パターンのタッチ位置はユーザの爪モデルの中心と重複してもよく、すなわち中心位置合わせ命令を受信する。中心位置合わせ命令にしたがって、ユーザの中心位置合わせ命令に対応する第2パターンのタッチ位置はユーザの爪モデルの中心と重複してもよい。ユーザが第2領域に表示された第2パターンの位置またはサイズに不満を抱いたとき、タッチスクリーンを操作することによって中心位置合わせ命令が生成され得る。具体的には、中心位置合わせ命令は、ユーザがタッチスクリーンをクリックすることによって生成され得る。ユーザがタッチスクリーンの第2パターンの中心位置をクリックすると中心位置合わせ命令が生成され得る。中心位置合わせ命令を生成するためにユーザがタッチスクリーンの第2パターンの中心位置をクリックすると、中心位置合わせ命令に対応する第2パターンの位置は、タッチスクリーンの第2パターンでユーザがクリックする中心位置になり得る。第2パターンでユーザの指がクリックする位置であり、この位置はユーザの爪モデルの中心と重複できる。ユーザは、第2パターンの位置を印刷パターンとして迅速に調整することができる。
【０１０４】
S28では、上述の印刷パターンが印刷されるとき、本開示の第1の実施形態の印刷パターンがユーザの爪に印刷され得る。ユーザの爪は、印刷を容易にするために爪のベース接着剤でコーティングされてもよいことを、理解すべきである。好ましくは、印刷パターンが印刷命令にしたがって印刷されるとき、印刷された印刷パターンはリアルタイムで第2領域に表示されてもよい。具体的には、印刷パターンの一部がユーザの指に印刷される場合、印刷された印刷パターンの部分もまたリアルタイムで第2領域に表示されてもよい。第2領域に表示されるとき、印刷された印刷パターンの部分は第2領域のユーザの爪モデル内に表示され得る。ユーザの爪モデルはユーザの爪に対応し得る。したがって、ユーザの爪モデル内に表示されたパターンは、ユーザの指に印刷された印刷パターンに対応し得る。爪の状態が見えないという緊張感をユーザが感じないように、ユーザは印刷パターンの印刷プロセスをリアルタイムで観察できる。好ましくは、白い接着剤が爪にコーティングされたときに印刷パターンの一部が白色である場合、白い印刷パターンの部分は印刷されない場合がある。
【０１０５】
好ましくは、S21は以下を含み得る：
S211：ユーザの爪の画像を取得するステップと、
S212：ユーザの爪の画像に基づいてユーザの爪の領域画像を識別するステップ。
【０１０６】
S211では、ユーザの爪の領域画像が取得されると、本開示の第1の実施形態におけるカメラデバイスによってユーザの爪の画像が最初に取得され、制御モジュールはユーザの爪の画像にしたがって爪の領域画像を識別し得る。
【０１０７】
S212では、この実施形態において、ユーザの爪の領域画像を取得する方法は限定されない。たとえば、ユーザの爪の領域画像を取得するために爪セグメント化アルゴリズム法が使用され得る。画像処理の分野には、多くの成熟した画像セグメント化アルゴリズムがあるが、これらは本明細書では詳細に説明しないので、関連資料を参照されたい。単なる例として、画像セグメント化アルゴリズムは、閾値ベースのセグメント化アルゴリズム、エッジベースのセグメント化アルゴリズム、領域ベースのセグメント化アルゴリズム、クラスタリングベースのセグメント化アルゴリズムなど、またはこれらの任意の組み合わせを含み得る。
【０１０８】
いくつかの実施形態では、S212は以下を含み得る：
S2121：ユーザの爪の階調画像を取得するためにユーザの爪の画像に対して階調処理を実行するステップと、
S2122：ユーザの爪の階調画像の平均階調値を計算するステップと、
S2123：ユーザの階調画像の平均階調値と所定の背景画像の平均階調値との間の差を取得するステップと、
S2124：平均階調値の差が階調値の所定の差分閾値よりも大きいときに、ユーザの爪画像から第1色および第2色を取得するステップと、
S2125：第1色と第2色との間のコントラスト比を取得するステップと、
S2126：このコントラスト比をコントラスト比の所定の閾値と比較するステップと、
S2127：コントラスト比が所定のコントラスト比閾値よりも大きい場合に、爪の領域画像を取得するために所定の爪セグメント化アルゴリズムを開始するステップ。
【０１０９】
S2121では、カメラデバイスによって取得されたユーザの爪の画像がカラー画像である場合、ユーザの爪のカラー画像の階調処理が最初に実行され得る。ユーザの爪画像は、第1色と第2色との後のコントラスト比がより正確になり、爪認識およびセグメント化アルゴリズムの精度が向上できるように、階調画像に変換され得る。カメラが階調カメラであるとき、ユーザの爪の取得された画像は階調画像であり、階調処理は必要ではない場合がある。
【０１１０】
S2122では、この実施形態において、ユーザの爪の階調画像の平均階調値を計算することは、画像処理において一般的に使用される方法であり、詳細は本明細書では説明されないので、関連資料を参照されたい。説明目的のために、ユーザの爪の階調画像中の全画素の階調値の合計が決定され得る。ユーザの爪の階調画像中の全画素の数が決定され得る。平均階調値は、全画素数に対する全画素の階調値の合計の比であってもよい。
【０１１１】
S2123では、所定の背景画像は、ユーザの指が爪ホルダに配置されたときに取得された画像であってもよく、または画像を収集するための最後の期間に収集された画像であってもよい。ユーザの爪の階調画像の平均階調値および所定の背景画像の平均階調値がそれぞれ計算され得る。平均階調値の差を取得するために、2つの平均階調値の間の差が取得され得る。平均階調値の差は、階調値の所定の差分閾値と比較され得る。平均階調値の差が階調値の所定の差分閾値よりも大きい場合、プロセスはステップS2124に進み得る。平均階調値の差が階調値の所定の差分閾値以下の場合、プロセスはステップS211に戻ってユーザの爪画像を再取得できる。階調値の所定の差分閾値は10であってもよいが、一例に過ぎず、技術的解決策を限定する意図はない。
【０１１２】
S2124では、ユーザの爪画像は、ユーザの爪の領域画像および他の部分の画像を含み得る。爪領域画像の色と他の部分の画像の色との差は大きくてもよい。第1色は爪の色であってもよく、第2色は爪領域画像以外の部分の色であってもよい。したがって、第1色および第2色は、ユーザの爪画像にしたがって取得され得る。ユーザの爪が印刷されるとき、爪のベース接着剤が標的の爪に手作業でコーティングされるか、またはベース接着剤をコーティングした後に白い接着剤をコーティングしてもよく、これによってパターンの印刷を容易にし、爪の上のパターンの維持時間を延長できることを、理解すべきである。爪にベース接着剤がないとき、パターンは爪に接着しにくいかも知れない。ベース接着剤をコーティングした後、白い接着剤が爪にコーティングされる場合、爪の色と爪以外の部分の色との差を大きくでき、これは爪を識別する精度を向上させるために有益であり得る。
【０１１３】
S2124では、第1色および第2色にしたがってコントラスト比が取得され、画像コントラスト比を取得するための方法は画像処理において一般的な方法であり、本明細書では詳細に説明されない。説明目的のために、コントラスト比は、以下の式（1）に基づいて決定され得る：
C＝Σδδ（i，j）2Pδ（i，j）
式中、δ（i，j）は｜i−j｜に等しく、画像の2つの隣接する画素間の階調値の差を表し、P＿δ（i，j）は画像の画素の分布確率を表す。
【０１１４】
S2126では、コントラスト比をコントラスト比の所定の閾値と比較することによって、コントラスト比が所定のコントラスト比閾値よりも大きいか否かが判断され得る。コントラスト比閾値は50％であってもよい。コントラスト比閾値はまた、実際の需要に応じて選択されてもよく、本明細書では特に限定されない。
【０１１５】
S2127では、コントラスト比が所定のコントラスト比閾値よりも大きい場合に、爪の領域画像を取得するために所定の爪セグメント化アルゴリズムが開始され得る。爪セグメント化アルゴリズムは、より正確に爪画像から爪の領域画像をセグメント化できる。第1の実施形態で説明されたユーザの爪モデルは、爪セグメント化アルゴリズムによってセグメント化された爪の領域画像に適合し得る。
【０１１６】
本開示の実施形態は、最初にユーザの爪画像の平均階調値を所定の背景画像の平均階調値と比較し得る。第1色および第2色は、平均階調値の差が階調値の所定の差分閾値よりも大きい場合に、ユーザの爪の画像から取得され得る。第1色および第2色のコントラスト比が所定のコントラスト比閾値よりも大きいとき、爪画像を取得するために所定の爪セグメント化アルゴリズムが開始され得る。ユーザの指またはボール紙がネイルプリント装置内に配置されないとき、またはユーザの爪にコーティングされたベース接着剤の色と周囲環境の色との差が小さいとき、所定の爪セグメント化アルゴリズムは開始されなくてもよく、これによって計算データの量を削減し、処理デバイスの寿命を延ばすのに役立ち、電力の無駄を削減する。
【０１１７】
いくつかの実施形態では、S23：第1領域内でユーザによって選択された第1パターンを識別するステップは、以下を含み得る：
S231：第1領域内でユーザのタッチ座標を取得するステップと、
S232：タッチ座標に対応する第1パターンを識別するステップ。
【０１１８】
S231では、タッチスクリーンの表示インターフェースの各位置は座標を有し得る。ユーザがタッチスクリーンをクリックすると、ユーザがタッチスクリーンをクリックする位置の座標、すなわちユーザのタッチ座標を取得できる。
【０１１９】
S232では、第1領域は複数の第1パターンを含み得る。タッチ座標が第1パターンの座標範囲内にある場合、第1パターンおよびタッチ座標は互いに対応し、タッチ座標に対応する第1パターンは識別され得る。ユーザによって選択された第1パターンは、迅速に識別され得る。
【０１２０】
この実施形態では、ユーザはシングルクリックによって第1パターンを直接選択することができ、操作は便利で迅速であり、ユーザ体験は良好であり得る。
【０１２１】
いくつかの実施形態では、S24において、第2領域に第2パターンを表示するステップであって、第2パターンは第1パターンと一致し、ユーザの爪モデルは第2パターンの一部と重複し、第2パターンの中心はユーザの爪モデルの中心と重複し、ユーザの爪モデルと重複する第2パターンの部分は印刷パターンとして使用される、ステップは、以下を含み得る：
S241：第2領域の座標を取得するステップと、
S242：ユーザの爪モデル122および第2パターン121が部分的に重複するように、タッチ座標に対応する第1パターン111を第2パターン121として第2領域12に表示するステップ。
【０１２２】
S241では、第2領域の座標が取得されるとき、好ましくは第2領域のユーザの爪モデルの中心座標およびエッジ座標が取得され得る。オプションとして、第2領域のユーザの爪モデルの中心座標が取得され、第2領域の全ての座標もまた取得され得る。
【０１２３】
S242では、第2領域の座標を取得した後、第2パターンおよびユーザの爪モデルが重複し得る。いくつかの実施形態では、第2パターン121の中心はユーザの爪モデル122の中心と重複し得る。第2パターンの中心がユーザの爪モデルの中心と重複するとき、第2パターンの主要画像が爪領域と重複し、これによってユーザによる第2パターンに対する調整回数を低減する。あるいは、第2パターンは第2領域にわたって広がることができ、または第2パターンは第2領域の特定の割合を占有してもよい。
【０１２４】
この実施形態では、第2パターンはユーザの爪モデルと自動的に重複し、これによって第2パターンをユーザの爪モデルまでドラッグする操作を低減し、ユーザの操作を節約してネイルプリント効率を向上させる。
【０１２５】
図5を参照すると、本開示の第3の実施形態は、上記実施形態に基づくネイルプリント装置の爪領域画像を取得する方法を提供し得る。ネイルプリント装置の爪領域画像を取得する方法は、ネイルプリント装置の爪領域画像を取得するシステムによって実行され得る。システムは、ハードウェアおよび／またはソフトウェアによって実施され、通常はネイルプリント装置に組み込まれる。本開示の第1の実施形態によるネイルプリント装置は、爪領域画像を取得するように構成され得る。ネイルプリント装置の爪領域画像を取得する方法は、以下を含み得る：
S31：ユーザの爪画像を取得するステップと、
S32：ユーザの爪画像から第1色および第2色を取得するステップと、
S33：第1色と第2色との間のコントラスト比を取得するステップと、
S34：コントラスト比が所定のコントラスト比閾値よりも大きい場合に、爪領域画像を取得するために所定の爪セグメント化アルゴリズムを開始するステップ。
【０１２６】
好ましくは、S33の後に、方法は以下も含み得る：
コントラスト比を所定のコントラスト閾値と比較するステップ。
【０１２７】
オプションとして、S31の後に、方法は以下も含み得る：
ユーザの爪の階調画像を取得するために、ユーザの爪画像に対して階調処理を実行するステップ。
【０１２８】
この実施形態で提供されるネイルプリント装置の爪領域画像を取得する方法の各ステップについては、第2の実施形態のネイルプリント方法のステップを参照し得るので、この実施形態ではステップが説明および例示されないことは、理解されるだろう。
【０１２９】
本開示の第3の実施形態は、ネイルプリント装置の爪領域画像を取得する方法を提供し得る。第1色および第2色はユーザの爪画像から取得され、第1色と第2色との間のコントラスト比が取得され得る。コントラスト比が所定のコントラスト比閾値よりも大きい場合に、爪領域画像を取得するための所定の爪セグメント化アルゴリズムが開始され得る。ユーザの指またはボール紙がネイルプリント装置内に配置されないとき、またはユーザの爪にコーティングされたベース接着剤と周囲環境との色の差が小さいとき、所定の爪セグメント化アルゴリズムは開始されなくてもよく、これによって計算データの量を削減し、処理デバイスの寿命を延ばすのに役立ち、電力の無駄を削減し得る。
【０１３０】
一実施形態では、ユーザの爪の階調画像を取得するために、ユーザの爪画像に対して階調処理を実行するステップの後、方法は、さらに以下を含み得る：
S2122：ユーザの爪の階調画像の平均階調値を計算するステップと、
S2123：ユーザの爪の階調画像の平均階調値と所定の背景画像の平均階調値との間の平均階調値の差を取得するステップと、
S2124：平均階調値の差が平均階調値の所定の差分閾値よりも大きいときに、ユーザの爪画像から第1色および第2色を取得するステップ。
【０１３１】
上記ステップの詳細な説明については、第2の実施形態の対応する内容を参照されたく、詳細は本明細書において再度説明されない。
【０１３２】
この実施形態の技術的解決策は、色を取得する以下のステップを続けるか否かを決定するために、ユーザの爪の階調画像の平均階調値を所定の背景画像の平均階調値と比較し得る。平均階調値の差が平均階調値の所定の差分閾値以下であるとき、ユーザの爪はネイルプリント装置内に配置されておらず、後続の処理ステップは実行されず、さもなければ後続の処理が続けられてもよく、これによって処理データの量を節約し、処理デバイスの寿命を延ばすのに役立つと考えられる。
【０１３３】
図6を参照すると、本開示の第4の実施形態は、ネイルプリント装置の爪領域画像を取得する方法を提供し得る。この実施形態は、上記実施形態に基づいて爪領域画像を処理する解決策を提供し得る。ネイルプリント装置は、タッチスクリーンを含み得る。タッチスクリーンは、第1インターフェースを表示するように構成され得る。第1インターフェースは、第1領域および第2領域を含み得る。第1領域は、複数の第1パターンを含み得る。タッチスクリーンは、本開示の第1の実施形態のタッチスクリーンであってもよい。爪領域画像を取得する方法は、以下を含み得る：
S41：ユーザの爪の画像を取得するステップと、
S42：ユーザの爪の画像から第1色および第2色を取得するステップと、
S43：第1色と第2色との間のコントラスト比を取得するステップと、
S44：コントラスト比が所定のコントラスト比閾値よりも大きい場合に、爪の領域画像を取得するために所定の爪セグメント化アルゴリズムを開始するステップと、
S45：爪の領域画像に対応するユーザの爪モデルをリアルタイムで第2領域に表示するステップと、
S46：第1領域内でユーザによって選択された第1パターンを識別するステップと、
S47：第2パターンを第2領域に表示するステップであって、第2パターンは第1パターンと一致し、ユーザの爪モデルは第2パターンの少なくとも一部と重複し、第2パターンの中心はユーザの爪モデルと重複する、ステップ。
【０１３４】
この実施形態で提供されるネイルプリント装置の爪領域画像を取得する方法の各ステップについては、第2の実施形態のネイルプリント方法のステップを参照し得るので、この実施形態ではステップが説明および例示されないことは、理解されるだろう。
【０１３５】
本開示の第4の実施形態は、ネイルプリント装置の爪の領域画像を取得する方法を提供し得る。ユーザの爪に対応する爪モデルが表示され得る。ユーザによって選択された第1パターンに対応する第2パターンは、ユーザの爪モデルに重ねられてもよい。選択されたパターンをユーザの爪モデルに重ねる効果はクリックによって実現でき、操作は簡単であり、ユーザはドラッグする必要がない。さらに、ユーザが爪に印刷されたパターンを調整するために第2パターンの位置およびサイズを調整できるように、第2パターンの中心はユーザの爪モデルの中心と重複してもよい。ユーザはまた、ユーザの爪モデルを通じて爪に印刷されたパターンを見ることもできる。
【０１３６】
オプションとして、47の後に、以下も含み得る：
タッチスクリーンを通じて第2パターンの位置および／またはサイズを調整する調整命令を受信するステップと、
第2パターンの位置および／またはサイズを調整する調整命令に基づいて、ユーザの爪モデル上の印刷パターンの位置および／またはサイズを調整するステップ。
【０１３７】
この実施形態では、第2パターンの位置またはサイズはタッチスクリーン上の操作によって調整でき、これは便利であり、ユーザ体験は良好であり得る。
【０１３８】
図7を参照すると、本開示の第5の実施形態は、ネイルプリント装置の爪領域画像を取得するシステム500を提供し得る。システム500は、爪領域画像を取得する方法を実施し得る。ネイルプリント装置は、タッチスクリーンを含み得る。タッチスクリーンは、第1インターフェースを表示するように構成され得る。第1インターフェースは、第1領域および第2領域を含み得る。第1領域は、複数の第1パターンを含み得る。ネイルプリント装置の爪領域画像を取得するシステム500は、以下を含み得る：
ユーザの爪の画像を取得するように構成された、爪画像取得モジュール501と、
爪画像から第1色および第2色を取得するように構成された、色取得モジュール502と、
第1色と第2色との間のコントラスト比を取得するように構成された、コントラスト比取得モジュール503と、
コントラスト比が所定のコントラスト比閾値よりも大きい場合に、爪の領域画像を取得するために所定の爪セグメント化アルゴリズムを開始するように構成された、標的画像取得モジュール504。
【０１３９】
本開示の第4の実施形態は、ネイルプリント装置の爪領域画像を取得するシステム500を提供し得る。システムは、ユーザの爪の画像から第1色および第2色を取得し得る。第1色と第2色との間のコントラスト比が所定のコントラスト比閾値よりも大きいとき、システムは爪の領域画像を取得するために所定の爪セグメント化アルゴリズムを開始し得る。ユーザの指またはボール紙がネイルプリント装置内に配置されないとき、またはユーザの爪にコーティングされたベース接着剤と周囲環境との色の差が小さいとき、所定の爪セグメント化アルゴリズムは開始されなくてもよく、これによって計算データの量を削減し、処理デバイスの寿命を延ばすのに役立ち、電力の無駄を削減し得る。
【０１４０】
ネイルプリント装置の爪領域画像を取得するシステム500は、以下も含み得る：
コントラスト比を所定のコントラスト比閾値と比較するように構成された、比較モジュールと、
ユーザの爪の画像に対して階調処理を実行するように構成された、階調処理モジュールと、
ユーザの爪の階調画像の平均階調値を計算するように構成された、平均階調値取得モジュールと、
ユーザの爪の階調画像の平均階調値と所定の背景画像の平均階調値との間の平均階調値の差を取得するように構成された、差分計算モジュールと、
爪領域画像に対応するユーザの爪モデルをリアルタイムで第2領域に表示するように構成された、モデル表示モジュールと、
第1領域内でユーザによって選択された第1パターンを識別するように構成された、パターン識別モジュールと、
ユーザの爪モデルを第2領域に表示するように構成され、第2パターンは第1パターンと一致し、ユーザの爪モデルは第2パターンの少なくとも一部と重複し、第2パターンの中心はユーザの爪モデルと重複する、パターン表示モジュールと、
タッチスクリーンを通じて第2パターンの位置および／またはサイズを調整する調整命令を受信するように構成された、第1受信モジュールと、
第2パターンの位置および／またはサイズを調整する調整命令に基づいて、ユーザの爪モデル上の印刷パターンの位置および／またはサイズを調整するように構成された、調整モジュール。
【０１４１】
図8を参照すると、本開示の第6の実施形態は、上記実施形態に基づいてネイルプリント装置の画像を処理する方法を提供し得る。ネイルプリント装置の画像を処理するシステムは、ネイルプリント装置の画像を処理する方法を実行し得る。システムは、ハードウェアおよび／またはソフトウェアによって実施され、通常はネイルプリント装置に組み込まれる。本開示の第1の実施形態によるネイルプリント装置は、印刷されるパターンを処理するように構成され得る。ネイルプリント装置は、タッチスクリーンを含み得る。タッチスクリーンは、第1インターフェースを表示するように構成され得る。第1インターフェースは、第1領域および第2領域を含み得る。第1領域は、複数の第1パターンを含み得る。タッチスクリーンは、本開示の第1の実施形態のタッチスクリーンであってもよい。ネイルプリント装置の画像を処理する方法。システムは、以下を含み得る：
S61：ユーザの爪モデルを第2領域に表示し、
S62：第1領域内でユーザによって選択された第1パターンを識別し、
S63：第2領域に第2パターンを表示し、第2パターンは第1パターンと一致し、ユーザの爪モデルは第2パターンの少なくとも一部と重複する。
好ましくは、第2パターンの中心はユーザの爪モデルの中心と重複し得る。ユーザの爪モデルと重複する第2パターンの少なくとも一部は、印刷パターンであり得る。ユーザは第1パターンをクリックしてもよい。第1パターンに対応する第2パターンは、第2領域に直接表示されてもよい。第2パターンはユーザの爪モデルの中心と重複してもよく、ユーザはパターンをユーザの爪モデルの部分までドラッグする必要がなく、操作は簡単で迅速である。第2パターンは、ユーザの爪モデルを直接覆ってもよい。第2パターンの画像要素は実質的にユーザの爪モデルであってもよく、ユーザが第2パターンを調整する回数は減少するが、これはパターンを調整する効率を改善するのに有利である。印刷パターンは、ユーザの爪モデル内に位置するパターンを調整するために、爪に印刷されるパターンの部分の印刷効果をユーザにとって見やすくするために強調されてもよい。ユーザの爪モデルの延伸方向は、タッチスクリーンの表示インターフェース上のユーザの視線の上下方向と平行であってもよい。ユーザの爪モデルの延伸方向は、ユーザの視線の左右方向に垂直であってもよい。第2パターンのサイズは、ユーザの爪モデルのサイズに適合するように、自動的に調整されてもよい。第1パターンは、ユーザが選択物を見るためだけのものであってもよい。サイズは比較的小さくてもよく、ユーザはパターンをはっきりと見ることができる。第1パターンが選択された後、第1パターンに対応する第2パターンのサイズはユーザの爪モデルのサイズにしたがって自動的に調整されてもよく、これによってユーザが第2パターンを調整する回数を減少させ、見やすくなる。第2パターンの中心は、同期的に動くようにユーザの爪モデルの中心を追うことができる。ユーザの爪モデルが回転しても、第2パターンは同じ配向のままの場合がある。爪の位置が十分に正確でないとき、ユーザは爪の位置を調整でき、ユーザの爪モデルは同期的に爪を追って移動し、第2パターンの中心はユーザの爪モデルの中心位置の動きを追って移動し、ユーザはユーザの爪の調整された位置で第2パターンを手動で覆うために第2パターンをドラッグする必要がない。このような高度な知性はユーザの操作を必要とせず、時間もそれによる努力もほとんど必要なく、ユーザ体験を強化し、印刷効率の向上に有益である。
【０１４２】
好ましくは、S61の前に、方法は、
ユーザの爪の画像を取得するステップと、
爪画像に基づいて爪領域画像を識別するステップと
を含み得、
ユーザの爪モデルがリアルタイムで第2領域に表示され、ユーザの爪モデルはユーザの爪の領域画像に対応する。
【０１４３】
この実施形態で提供されるネイルプリント装置の爪領域画像を取得する方法の各ステップについては、第2の実施形態のネイルプリント方法のステップを参照し得るので、この実施形態ではステップが説明および例示されないことは、理解されるだろう。
【０１４４】
本開示の第6の実施形態は、ネイルプリント装置の画像を処理する方法を提供し得る。第1領域内でユーザによって選択された第1パターンを識別することによって、選択された第1パターンと一致する第2パターンが第2領域に表示され得る。第2パターンの中心は、ユーザの爪モデルと重複し得る。ユーザは、シングルタッチによって好ましい第1パターンを選択し得る。選択された第1パターン画像に適合する第2パターンは、ユーザの爪モデルと自動的に重複し、ユーザの爪モデルの中心と重複し得る。印刷用のパターンをより選択しやすくなり、これによってユーザ操作の複雑さを低減し、ユーザ体験を向上できる。第2領域では、ユーザはユーザの爪モデルと重複したパターンの部分を視覚的に見ることができ、これによってユーザが第2パターンを調整するのが便利になり、印刷効果およびユーザ満足度を向上させるのに有益である。
【０１４５】
図9を参照すると、本開示の第7の実施形態は、ネイルプリント装置の画像を処理する方法を提供し得る。この実施形態は、上記実施形態に基づいて第2パターンの位置および／またはサイズを調整するための解決策を提供し得る。ネイルプリント装置の画像を処理する方法は、以下を含み得る：
S71：ユーザの爪モデルを第2領域に表示するステップと、
S72：第1領域内でユーザ第2領域に第2パターンを表示によって選択された第1パターンを識別するステップと、
S73：第2領域に第2パターンを表示するステップであって、第2パターンは第1パターンと一致し、ユーザの爪モデルは第2パターンの少なくとも一部と重複する、ステップと、
S74：タッチスクリーンを通じてユーザによって第2パターンの位置および／またはサイズを調整する調整命令を受信するステップと、
S75：第2パターンの位置および／またはサイズを調整する調整命令に基づいて、ユーザの爪モデル上の印刷パターンの位置および／またはサイズを調整するステップ。
【０１４６】
調整命令は、移動命令、および比例的に拡大縮小するためのマルチタッチ命令を含み得る。移動命令は、第2パターンの位置を移動するために使用され得る。第2パターンは、比例的に拡大または縮小するためのマルチタッチ命令にしたがって、比例的にスケーリングされてもよい。第2パターンをマルチタッチして比例的にスケーリングすることによって、第2パターンの画像が歪んだり変形したりするのを防ぐことがでるが、これは印刷効果に影響を及ぼさない。比例的スケーリングモードで第2パターンを調整することによって、印刷パターンの真正性が残り、これによって印刷効果およびユーザ満足度を向上できる。いくつかの実施形態では、調整命令は、回転命令、水平ミラーリング命令、および垂直ミラーリング命令を含み得る。第1インターフェースは、回転アイコン、水平ミラーリングアイコン、および垂直ミラーリングアイコンを含み得る。回転アイコンは、ユーザのタッチに基づいて回転命令を生成するように構成され得る。水平ミラーリングアイコンは、ユーザのタッチに基づいて水平ミラーリング命令を生成するように構成され得る。垂直ミラーリングアイコンは、ユーザのタッチに基づいて垂直ミラーリング命令を生成するように構成され得る。画像調整のための一般的なショートカットを設定することによって印刷効率を向上するために第2パターンを迅速に調整することは、ユーザにとって便利であろう。
【０１４７】
この実施形態で提供されるネイルプリント装置の画像を処理する方法の各ステップについては、第2の実施形態のネイルプリント方法のステップを参照し得るので、この実施形態ではステップが説明および例示されないことは、理解されるだろう。
【０１４８】
本開示の第7の実施形態は、ネイルプリント装置の画像を処理する方法を提供し得る。第2パターンの位置およびサイズは、タッチスクリーン上でタッチモードで調整され得る。操作は簡単であり、ユーザは第2パターンの位置およびサイズを調整することによって、爪に印刷されたパターンを調整しやすくできる。ユーザはまた、ユーザの爪モデルによって爪に印刷されたパターンを見ることもできる。
【０１４９】
図10を参照すると、本開示の第8の実施形態は、ネイルプリント装置の画像を処理する方法を提供し得る。この実施形態は、上記実施形態に基づいて第2パターンの位置を調整するための解決策を提供し得る。ネイルプリント装置の画像を処理する方法は、以下を含み得る：
S81：ユーザの爪モデルを第2領域に表示するステップと、
S82：第1領域内でユーザによって選択された第1パターンを識別するステップと、
S83：第2領域に第2パターンを表示するステップであって、第2パターンは第1パターンと一致し、ユーザの爪モデルは第2パターンの少なくとも一部と重複する、ステップと、
S84：中心位置合わせ命令を受信するステップと、
S85：中心位置合わせ命令にしたがって、中心位置合わせ命令に対応する第2パターンの位置と中心位置合わせ命令によるユーザの爪モデルの中心とを重複させるステップ。
【０１５０】
この実施形態で提供されるネイルプリント装置の画像を処理する方法の各ステップについては、第2の実施形態のネイルプリント方法のステップを参照し得るので、この実施形態ではステップが説明および例示されないことは、理解されるだろう。
【０１５１】
本開示の第8の実施形態は、ネイルプリント装置の画像を処理する方法を提供し得る。中心位置合わせ命令にしたがって、中心位置合わせ命令に対応する第2パターンの位置は中心位置合わせ命令によるユーザの爪モデルの中心と重複し得る。ユーザは、迅速にユーザの爪モデルと重複するように第2パターンの少なくとも一部を調整し、これによってユーザは迅速に第2パターンの少なくとも一部を印刷パターンとして選択することができる。
【０１５２】
図11を参照すると、本開示の第9の実施形態は、ネイルプリント装置の画像を処理するシステム900を提供し得る。システム900は、ネイルプリント装置の画像を処理する方法を実施し得る。ネイルプリント装置は、タッチスクリーンを含み得る。タッチスクリーンは、第1インターフェースを表示するように構成され得る。第1インターフェースは、第1領域および第2領域を含み得る。第1領域は、複数の第1パターンを含み得る。ネイルプリント装置の画像を処理するシステム900は、以下を含み得る：
ユーザの爪モデルを第2領域に表示するように構成された、モデル表示モジュール901と、
第1領域内でユーザによって選択された第1パターンを識別するように構成された、パターン識別モジュール902と、
第2領域にユーザの爪モデルを表示し、第2パターンは第1パターンと一致し、ユーザの爪モデルは第2パターンの少なくとも一部と重複する、ように構成された、パターン表示モジュール903。
【０１５３】
本開示の第9の実施形態は、ネイルプリント装置の画像を処理するシステムを提供し得る。第1領域内でユーザによって選択された第1パターンを識別することによって、選択された第1パターンと一致する第2パターンが第2領域に表示され得る。第2パターンの中心は、ユーザの爪モデルと重複し得る。ユーザは、シングルタッチによって好ましい第1パターンを選択し得る。選択された第1パターン画像に適合する第2パターンは、ユーザの爪モデルと自動的に重複し、ユーザの爪モデルの中心と重複し得る。印刷用のパターンをより選択しやすくなり、これによってユーザ操作の複雑さを低減し、ユーザ体験を向上できる。第2領域では、ユーザはユーザの爪モデルと重複したパターンの少なくとも一部を視覚的に見ることができ、これによってユーザが第2パターンを調整するのが便利になり、印刷効果およびユーザ満足度を向上させるのに有益である。
【０１５４】
ネイルプリント装置の画像を処理するシステム900は、以下も含み得る：
ユーザの爪の画像を取得するように構成された、爪画像取得モジュールと、
ユーザの爪の画像にしたがって爪の領域画像を識別するように構成された、爪領域画像取得モジュールと、
タッチスクリーンを通じて第2パターンの位置および／またはサイズを調整する調整命令を受信するように構成された、第1受信モジュールと、
第2パターンの位置および／またはサイズを調整する調整命令に基づいて、ユーザの爪モデル上の印刷パターンの位置および／またはサイズを調整するように構成された、調整モジュールと、
中心位置合わせ命令を受信するように構成された、第3受信モジュールと、
中心位置合わせ命令にしたがって、中心位置合わせ命令に対応する第2パターン121の位置とユーザの爪モデルの中心とを重複させるように構成された、位置合わせモジュール。
【０１５５】
図12を参照すると、本開示の第10の実施形態は、上記実施形態に基づくネイルプリント装置の印刷方法を提供し得る。ネイルプリント装置の印刷システムは、ネイルプリント装置の印刷方法を実行し得る。システムは、ハードウェアおよび／またはソフトウェアによって実施され、通常はネイルプリント装置に組み込まれる。本開示の第1の実施形態のネイルプリント装置は、ユーザの爪に印刷できる。ネイルプリント装置は、タッチスクリーンを含み得る。タッチスクリーンは、第1インターフェースを表示するように構成され得る。第1インターフェースは、第1領域および第2領域を含み得る。第1領域は、複数の第1パターンを含み得る。ネイルプリント装置の印刷方法は、以下を含み得る：
S101：ユーザの爪モデルを第2領域に表示するステップと、
S102：第2領域に第2パターンを表示するステップであって、ユーザの爪モデルは第2パターンの少なくとも一部と重複し、ユーザの爪モデルと重複する第2パターンの少なくとも一部は印刷パターンである、ステップと、
S103：印刷命令に基づいて印刷パターンを印刷するステップ。
【０１５６】
好ましくは、印刷命令に基づいて印刷パターンを印刷するステップの後、方法は以下を含み得る：
印刷された印刷パターンをリアルタイムで第2領域に表示するステップ。
【０１５７】
好ましくは、S101の前に、方法は、以下も含み得る：
ユーザの爪の領域画像を取得するステップであって、ユーザの爪モデルはリアルタイムで第2領域に表示され、ユーザの爪モデルはユーザの爪の領域画像に対応する、ステップ。
【０１５８】
好ましくは、S102の前に、方法は、
【０１５９】
第1領域内でユーザによって選択された第1パターンを識別するステップを含み得、第2パターンは選択された第1パターンと一致する。
【０１６０】
好ましくは、S103の前に、方法はまた、印刷命令を受信するステップも含み得る。印刷命令は、第1の実施形態で説明された印刷アイコンにユーザがタッチすることによって生成され得る。
【０１６１】
好ましくは、第1インターフェースは、第3領域も含み得る。S103の前に、方法はまた、ユーザの爪の上に印刷パターンの効果印刷プレビューを第3領域に表示するステップを含み得る。
【０１６２】
好ましくは、ネイルプリント装置の印刷方法は、以下も含み得る：
スライド命令を受信するステップと、
スライド命令に基づいて、第1領域内をスライドした後に複数の第1パターンを表示するステップ。
【０１６３】
好ましくは、印刷命令に基づいて印刷パターンを印刷するステップは、印刷された印刷パターンをリアルタイムで第2領域に表示するステップを含み得る。
【０１６４】
この実施形態で提供されるネイルプリント装置の印刷方法の各ステップについては、第2の実施形態のネイルプリント方法のステップを参照し得るので、この実施形態ではステップが説明および例示されないことは、理解されるだろう。
【０１６５】
本開示の第7の実施形態は、ネイルプリント装置の印刷方法を提供し得る。ユーザの爪モデルと重複するパターンの少なくとも一部は、印刷パターンとして使用され得る。ユーザの爪モデルと重複するパターンの部分のみが印刷中に印刷されてもよく、これによって印刷されるパターンを減少させ、インクを節約し、インクカートリッジの使用時間を延長し、コストの削減に役立つ。ユーザの爪モデル以外のパターンは印刷されない。印刷が完了した後、爪の周りの指にインクは噴霧されず、爪の周りの指でオーバーフロー防止接着剤を使用する必要がなくなり、これによってコストを節約するのみならず、印刷前にオーバーフロー防止接着剤をコーティングし、印刷後にオーバーフロー防止接着剤を洗浄する2つのプロセスも削減し、ネイルプリント効率を向上させる。
【０１６６】
一実施形態では、ユーザの爪の領域画像を取得するステップは、以下を含み得る：
ユーザの爪の画像を取得するステップと、
ユーザの爪の画像に基づいてユーザの爪の領域画像を識別するステップ。
【０１６７】
好ましくは、第1領域内でユーザによって選択された第1パターンを識別するステップは、以下を含み得る：
第1領域内でユーザのタッチ座標を取得するステップと、
タッチ座標に対応する第1パターンを識別するステップ。
【０１６８】
この実施形態で提供されるネイルプリント装置の印刷方法の各ステップについては、第2の実施形態のネイルプリント方法のステップを参照し得るので、この実施形態ではステップが説明および例示されないことは、理解されるだろう。
【０１６９】
図13を参照すると、本開示の第11の実施形態は、ネイルプリント装置の印刷方法を提供し得る。この実施形態は、上記実施形態に基づいて第2パターンの位置を調整するための解決策を提供し得る。ネイルプリント装置の印刷方法は、以下を含み得る：
S111：ユーザの爪モデルを第2領域に表示するステップと、
S112：第2領域に第2パターンを表示するステップであって、ユーザの爪モデルは第2パターンの少なくとも一部と重複し、ユーザの爪モデルと重複する第2パターンの少なくとも一部は印刷パターンである、ステップと、
S113：タッチスクリーンを通じてユーザによって第2パターンの位置および／またはサイズを調整する調整命令を受信するステップと、
S114：第2パターンの位置および／またはサイズを調整する調整命令に基づいて、ユーザの爪モデル上の印刷パターンの位置および／またはサイズを調整するステップと、
S115：印刷命令に基づいて印刷パターンを印刷するステップ。
【０１７０】
この実施形態で提供されるネイルプリント装置の印刷方法の各ステップについては、第2の実施形態のネイルプリント方法のステップを参照し得るので、この実施形態ではステップが説明および例示されないことは、理解されるだろう。
【０１７１】
本開示の第11の実施形態は、ネイルプリント装置の印刷方法を提供し得る。ユーザはタッチスクリーンにしたがって第2パターンを調整し、これはユーザが第2パターンの位置およびサイズを調整することによって爪に印刷されたパターンを調整するのに便利であろう。ユーザはまた、ユーザの爪モデルを通じて爪に印刷されたパターンを見ることもできる。
【０１７２】
図14を参照すると、本開示の第11の実施形態は、ネイルプリント装置の印刷システム1200を提供し得る。システム1200は、ネイルプリント装置の印刷方法を実施し得る。ネイルプリント装置は、タッチスクリーンを含み得る。タッチスクリーンは、第1インターフェースを表示するように構成され得る。第1インターフェースは、第1領域および第2領域を含み得る。第1領域は、複数の第1パターンを含み得る。ネイルプリント装置の印刷システム1200は、以下を含み得る：
第2領域にユーザの爪モデルを表示するように構成されたモデル表示モジュール1201と、
第2領域に第2パターンを表示するように構成されたパターン表示モジュール1202であって、ユーザの爪モデルは第2パターンの少なくとも一部と重複し、ユーザの爪モデルと重複する第2パターンの少なくとも一部は印刷パターンである、パターン表示モジュール1202と、
印刷命令に基づいて印刷パターンを印刷するように構成された印刷モジュール1203。
【０１７３】
本開示の第12の実施形態は、ネイルプリント装置の印刷方法1200を提供し得る。ユーザの爪モデルと重複するパターンの少なくとも一部は、印刷パターンとして使用され得る。ユーザの爪モデルと重複するパターンの部分のみが印刷中に印刷されてもよく、これによって印刷されるパターンを減少させ、インクを節約し、インクカートリッジの使用時間を延長し、コストの削減に役立つ。ユーザの爪モデル以外のパターンは印刷されない。印刷が完了した後、爪の周りの指にインクは噴霧されず、爪の周りの指でオーバーフロー防止接着剤を使用する必要がなくなり、これによってコストを節約するのみならず、印刷前にオーバーフロー防止接着剤をコーティングし、印刷後にオーバーフロー防止接着剤を洗浄する2つのプロセスも削減し、ネイルプリント効率を向上させる。
【０１７４】
ネイルプリント装置の印刷システム1200は、以下を含み得る：
ユーザの爪の領域画像を取得するように構成された、取得モジュール41と、
第1領域内でユーザによって選択された第1パターンを識別するように構成された、パターン識別モジュールと、
ユーザの爪に印刷された効果印刷プレビューを第3領域に表示するように構成された、プレビュー表示モジュールと、
タッチスクリーンを通じて第2パターンの位置および／またはサイズを調整する調整命令を受信するように構成された、第1受信モジュールと、
第2パターンの位置および／またはサイズを調整する調整命令に基づいて、ユーザの爪モデル上の印刷パターンの位置および／またはサイズを調整するように構成された、調整モジュールと、
スライド命令を受信するように構成された、第2受信モジュールと、
スライド命令にしたがってスライドした後に、複数の第1パターンを第1領域に表示するように構成された、スライド表示モジュール。
【０１７５】
取得モジュールは、以下を含み得る：
ユーザの爪の画像を取得するように構成された、爪画像取得モジュールと、
ユーザの爪の画像にしたがって爪の領域画像を識別するように構成された、爪領域画像取得モジュール。
【０１７６】
パターン識別モジュールは、以下を含み得る：
第1領域内でユーザのタッチ座標を取得するように構成された、第1座標取得モジュールと、
タッチ座標に対応する第1パターンを識別するように構成された、パターン取得モジュール。
【０１７７】
図15は、本開示のいくつかの実施形態による、ネイルプリント方法および／またはネイルプリント装置の爪画像を取得する方法および／またはネイルプリント装置の爪画像を取得するシステム、ネイルプリント装置の画像処理方法および／またはネイルプリント装置の画像処理システム、ネイルプリント装置の印刷方法および／またはネイルプリント装置800の印刷システムを示す、構造図である。ネイルプリント装置は、データ処理能力のある任意の計算デバイス、たとえばサーバまたはサーバクラスタであり得る。図に示されるネイルプリント装置は単なる例であり、本開示の実施形態の機能および使用範囲にいかなる制限も課すものではない。
【０１７８】
図に示されるように、ネイルプリント装置800は、処理デバイス（たとえば、中央プロセッサ、グラフィックプロセッサなど）を含み得る。801．ネイルプリント装置800は、読み取り専用ストレージ（ROM）802に格納されたプログラム、またはストレージデバイス808からランダムアクセスストレージ（RAM）803にロードされたプログラムにしたがって、様々な適切なアクションおよびプロセスを実行し得る。RAM803は、ネイルプリント装置800の操作に必要とされる様々なプログラムおよびデータを格納し得る。処理デバイス801、ROM802、およびRAM803は、バス804を介して互いに接続され得る。入出力（I／O）インターフェース805もまたバス804に接続され得る。
【０１７９】
通常、以下のデバイスがI／Oインターフェース805に接続されてもよく、たとえばタッチスクリーン、タッチパッド、キーボード、マウス、カメラ、マイクロフォン、加速度計、またはジャイロスコープなどの入力デバイス806、液晶ディスプレイ（LCD）、スピーカ、バイブレータなどの出力デバイス807、テープおよびハードディスクなどのストレージデバイス808、ならびに通信デバイス809である。通信デバイス809は、ネイルプリント装置800が他のデバイスとデータを交換するために無線または有線通信を実行できるようにする。ネイルプリント装置800は図示されるように様々なデバイスを有し得るが、図示されるデバイスの全ての実装または所有が必要とされなくてもよいことを理解すべきである。ネイルプリント装置800は、代替的に実施されてもよく、より多いまたは少ないデバイスを有してもよい。
【０１８０】
図16を参照すると、本開示の第14の実施形態は、上記実施形態に基づいてユーザの爪のネイルプリントに使用されるネイルプリント装置の印刷方法を提供し得る。ネイルプリント装置は、上記実施形態のネイルプリント装置であってもよい。ネイルプリント装置の印刷方法は、以下を含み得る：
S11：爪画像から爪輪郭を識別し、爪輪郭に対応するユーザの爪モデルを表示するステップと、
S12：印刷されるパターンを生成するために所定の画像ライブラリからパターンを選択するステップであって、印刷されるパターンはユーザの爪モデルと重複する、ステップと、
S13：印刷されるパターンを調整するステップと、
S14：印刷される調整済みパターンを標的の爪に印刷するステップ。
【０１８１】
S11では、爪画像はネイルプリント装置によって取得され得る。爪画像は、本開示の上記実施形態においてネイルプリント装置のカメラデバイスによって撮影されてもよい。爪画像がカメラデバイスによって撮影された後、爪画像は、ユーザの爪輪郭を取得するために、爪認識およびセグメント化アルゴリズムによって処理されてもよい。爪認識およびセグメント化アルゴリズムは、画像処理における方法であってもよく、特に、爪輪郭を取得する方法は限定されない。爪輪郭を取得した後、爪輪郭に対応するユーザの爪モデルが表示され得る。ユーザの爪モデルの形状は爪輪郭の形状と一致することができ、ユーザの爪モデルのサイズは爪輪郭のサイズと同じでも異なってもよい。具体的には、ネイルプリント装置は、第1インターフェースを表示するように構成されたタッチスクリーンを含み得る。第1インターフェースは、第2領域を含み得る。爪画像から爪輪郭を識別し、爪輪郭に対応するユーザの爪モデルを表示することは、爪画像から爪輪郭を識別し、爪輪郭に対応するユーザの爪モデルを第2領域に表示することを含み得る。ネイルプリント装置は、本開示の上記実施形態におけるネイルプリント装置であってもよく、第2領域は特に説明されなくてもよい。
【０１８２】
S12では、所定の画像ライブラリは複数のパターンを含み、ユーザは複数のパターンから1つにタッチして選択し得る。具体的には第1インターフェースは第1領域をさらに含み得る。第1領域は、所定の画像ライブラリを表示するために使用され得る。所定の画像ライブラリに含まれる第1パターンは、本開示の第1の実施形態における第1領域の第1パターンであってもよい。所定の画像ライブラリは、第1領域の複数の第1パターンの一般的な呼び出しであってもよい。所定の画像ライブラリからパターンを選択することは、パターンを選択するためのシングルクリック、パターンを選択するためのダブルクリック、またはパターンのドラッグを含み得る。印刷されるパターンが生成されるとき、印刷されるパターンは第2領域に生成されてもよい。印刷されるパターンは、本開示の第1の実施形態における第2パターンであってもよい。印刷されるパターンがユーザの爪モデルと重複するとき、印刷されるパターンの中心はユーザの爪モデルの中心と重複する。印刷されるパターンのサイズは、ユーザの爪モデルのサイズよりも大きくても小さくても等しくてもよい。好ましくは、印刷されるパターンのサイズは、ユーザによるその後の調整のために、ユーザの爪モデルのサイズよりも大きくてもよい。所定の画像ライブラリからパターンを選択し、印刷されるプリントを生成し、印刷されるパターンはユーザの爪モデルと重複する、ことは、第1領域の所定の画像からパターンを選択するためにシングルクリックし、第2領域の選択されたパターンと一致する印刷されるパターンを生成し、ユーザの爪モデルと重複する印刷されるパターンが第2領域に表示される、ことを含み得る。好ましくは、第1インターフェースは、第3領域をさらに含み得る。第3領域は、第2パターンがユーザの爪モデルに適合する印刷効果画像を表示するため、すなわち、ユーザの爪モデルの形状およびサイズに適合する第2パターンの部分を判断し、これをユーザの爪モデルに貼り付け、次いでこれを第3領域に表示するために、使用され得る。したがって、ユーザがお気に入りパターンを選択してパターンを最適な印刷効果に調整し得るように、ユーザは第3領域内の爪に印刷パターンを印刷する効果をプレビューすることができ、これは非常に実用的である。
【０１８３】
S13では、印刷されるパターンを調整することは、異なる位置でユーザの爪モデルと重複する印刷されるパターンを調整するために印刷されるパターンの位置および／またはサイズを調整すること、または印刷されるパターンをユーザの爪モデル内に配置させることを、含み得る。印刷されるパターンを調整することは、回転調整、水平ミラーリング調整、垂直ミラーリング調整、位置調整、またはサイズ調整を含み得る。印刷されるパターンが調整されるとき、印刷パターンが第2領域で調整されてもよく、たとえばタッチスクリーンをマルチタッチすること、および／またはタッチスクリーンを通じて印刷されるパターンをドラッグすることによって、印刷されるパターンを比例的にスケーリングし得る。印刷されるパターンを調整することについては、本開示の第1の実施形態のネイルプリント装置を特に参照することができる。
【０１８４】
S14では、標的の爪は、手の爪、足の爪、または人工爪を含み得る。印刷される調整済みパターンが標的の爪に印刷されるとき、ユーザの爪モデルと重複する印刷される調整済みパターンの部分は標的の爪にのみ印刷されてもよく、すなわちパターンはユーザの爪の輪郭の内側にのみ印刷され得る。爪輪郭の内側のパターンのみが印刷されてもよく、これによってインクを節約でき、インクは爪の外側の指には印刷されず、印刷が完了した後にさらなる処理は必要とされず、これによってネイルプリント効率を向上できる。
【０１８５】
本開示の実施形態は、ネイルプリント装置の印刷方法を提供し得る。爪輪郭が爪画像から識別され、爪輪郭に対応するユーザの爪モデルが表示され得る。印刷されるパターンを生成するために、所定の画像ライブラリからパターンが選択され得る。印刷されるパターンは、ユーザの爪モデルと重複してもよい。印刷されるパターンが調整され、印刷される調整済みパターンが標的の爪に印刷され得る。標的の爪に印刷されるパターンは迅速に選択され、印刷されるパターンは、所望のサイズまたは所望の位置を得るためにパターンを選択した後に、都合よく調整され得る。
【０１８６】
本開示の上記実施形態のネイルプリント装置が、本開示のこの実施形態のネイルプリント装置の印刷方法を補足および説明し得ることは、理解されるべきである。
【０１８７】
本開示は、コンピュータプログラムを格納するコンピュータ可読媒体を開示し得る。プログラムが処理デバイスによって実行されると、上記実施形態のいずれかによって提供されるネイルプリント方法および／またはネイルプリント装置の爪画像を取得する方法および／またはネイルプリント装置の画像処理方法および／またはネイルプリント装置の印刷方法が実施され得る。
【０１８８】
特に、本開示の実施形態によれば、上述のフローチャートを参照したネイルプリント方法および／またはネイルプリント装置の爪画像を取得する方法および／またはネイルプリント装置の画像処理方法および／またはネイルプリント装置の印刷方法は、コンピュータソフトウェアプログラムとして実装されてもよい。たとえば、本開示の実施形態は、コンピュータ可読媒体上で具現化されるコンピュータプログラムを備えるコンピュータプログラム製品を含み得る。コンピュータプログラムは、フローチャートに湿される方法を実行するためのプログラムコードを含み得る。このような実施形態では、コンピュータプログラムは、ダウンロードされて通信装置809を介してネットワークからインストールされてもよく、またはストレージ装置808からインストールされてもよく、またはROM802からインストールされてもよい。コンピュータプログラムが処理プログラム801によって実行されると、本開示の実施形態の、ネイルプリント方法および／またはネイルプリント装置の爪画像を取得する方法および／またはネイルプリント装置の画像処理方法および／またはネイルプリント装置の印刷方法は、方法および／またはネイルプリント装置画像処理方法および／またはネイルプリント装置の印刷方法において定義された機能を実行し得る。
【０１８９】
本開示のコンピュータ可読媒体は、コンピュータ可読媒体またはコンピュータ可読記憶媒体またはこれらの組み合わせであってもよいことに、留意すべきである。たとえば、コンピュータ可読記憶媒体は、電子、磁気、光学、電磁気、赤外線、または半導体のシステム、装置、またはデバイス、またはこれらの任意の組み合わせを含み得るが、これらに限定されない。機械可読記憶媒体のより具体的な例は、1つ以上の配線を有する電気的接続、ポータブルコンピュータディスケット、ハードディスク、ランダムアクセスメモリ（RAM）、読み取り専用メモリ（ROM）、消去可能プログラマブル読み取り専用メモリ（EPROMまたはフラッシュメモリ）、光ファイバ、ポータブルコンパクトディスク読み取り専用メモリ（CD−ROM）、光学ストレージデバイス、磁気ストレージデバイス、またはこれらの任意の適切な組み合わせを含み得る。本開示の文脈では、コンピュータ可読媒体は、プログラムを包含または格納し得る任意の有形媒体であり得る。プログラムは、命令実行システム、装置、コンポーネント、またはこれらの組み合わせによって使用され得る。しかしながら、本開示では、コンピュータ可読信号媒体は、ベースバンド内でまたは搬送波の一部として伝播するデータ信号を含み得る。コンピュータ可読信号媒体は、コンピュータ可読プログラムコードを担持できる。伝播信号は、電磁気、光学など、またはこれらの任意の適切な組み合わせを含むがこれらに限定されない、様々な形態であり得る。コンピュータ可読信号媒体は、命令実行システム、装置、デバイス、またはこれらの組み合わせによって使用されるプログラムを通信、伝播、または移送し得る、コンピュータ可読記憶媒体以外の任意のコンピュータ可読媒体であり得る。コンピュータ可読信号媒体において具現化されるプログラムコードは、無線、有線、光ファイバケーブル、RFなど、またはこれらの任意の適切な組み合わせを含むがこれらに限定されない、任意の適切な媒体によって送信され得る。
【０１９０】
コンピュータ可読媒体は、ネイルプリント装置に含まれてもよく、独立して存在してネイルプリント装置に組み込まれなくてもよい。
【０１９１】
コンピュータ可読媒体は、1つ以上のプログラムを担持できる。1つ以上のプログラムがネイルプリント装置によって実行されると、ネイルプリント装置は、少なくとも2つのインターネットプロトコルアドレスを取得し、ノード評価デバイスに、少なくとも2つのインターネットプロトコルアドレスのノード評価要求を送信し、ノード評価デバイスは少なくとも2つのインターネットプロトコルアドレスからインターネットプロトコルアドレスを選択してこれに返し、ノード評価デバイスによって返されたインターネットプロトコルアドレスを受信し、取得したインターネットプロトコルアドレスはコンテンツ配信ネットワーク内のエッジノードを示す、ように指示され得る。
【０１９２】
あるいは、コンピュータ可読媒体は、1つ以上のプログラムを担持できる。1つ以上のプログラムがネイルプリント装置によって実行されると、ネイルプリント装置は、少なくとも2つのインターネットプロトコルアドレスのノード評価要求を受信し、少なくとも2つのインターネットプロトコルアドレスからインターネットプロトコルアドレスを選択し、選択したインターネットプロトコルアドレスに戻り、受信したインターネットプロトコルアドレスがコンテンツ配信ネットワーク内のエッジノードを示す、ように指示され得る。
【０１９３】
本開示の動作を実行するためのコンピュータプログラムコードは、1つ以上のプログラミング言語、またはこれらの組み合わせで記述され得る。プログラミング言語は、Java（登録商標）、Smalltalk、C＋＋などのオブジェクト指向プログラミング言語、および「C」言語または類似のプログラミング言語などの従来の手続き型プログラミング言語を含み得る。プログラムコードは、完全にユーザのコンピュータ上で、部分的にユーザのコンピュータ上で、独立したソフトウェアパッケージとして、部分的にユーザのコンピュータ上で、部分的にリモートコンピュータ上で、または完全にリモートコンピュータまたはサーバ上で、実行され得る。リモートコンピュータの場合、リモートコンピュータは、たとえばローカルエリアネットワーク（LAN）またはワイドエリアネットワーク（WAN）を含む任意の種類のネットワークを介してユーザのコンピュータに接続されてもよく、または（たとえばインターネットで接続するためにインターネットサービスプロバイダを使用して）外部コンピュータに接続されてもよい。
【０１９４】
図中のフローチャートおよびブロック図は、本開示の様々な実施形態による、システム、方法、およびコンピュータプログラム製品によって実施され得るアーキテクチャ、機能、および動作を示し得る。この位置で、フローチャートまたはブロック図の各ブロックは、モジュール、プログラムセグメント、またはコードの一部を表すことができ、これらは指定された論理機能を実施するための1つ以上の実行可能命令を含み得る。いくつかの代替実施例では、ブロックに記載されている機能はまた、図面に示されるものと異なる順序でも行われ得ることにも、留意すべきである。たとえば、2つの連続するブロックは、実質的に平行して実行されてもよく、場合により逆の順で実行されてもよく、これは関連する機能に依存し得る。なお、ブロック図および／またはフローチャートの各ブロック、ならびにブロック図および／またはフローチャートのブロックの組み合わせは、指定された機能または動作を実行する専用ハードウェアベースシステムによって実施されてもよく、もしくは専用ハードウェアおよびコンピュータ命令の組み合わせによって実施されてもよいことにも、留意すべきである。
【０１９５】
本開示の実施形態で説明されるモジュールまたはユニットは、ソフトウェアまたはハードウェアによって実施され得る。ユニットの名前は、特定の状況下でユニット自体に対する制限を構成するものではない。たとえば、第1取得ユニットは、「少なくとも2つのインターネットプロトコルアドレスを取得するユニット」としても説明され得る。
【０１９６】
上記の説明は、本開示の好適な実施形態、および応用技術の原理の説明に過ぎない。当業者は、本開示の開示範囲が技術的特徴の特定の組み合わせに限定されず、技術的特徴またはその同等の特徴の任意の組み合わせによって形成される他の技術的解決策もまた開示される概念から逸脱することなく含まれ得ることを、理解すべきである。たとえば、特徴は、（これに限定されるものではないが）本開示において開示された特徴を、類似の機能を有する技術的特徴に置き換えることによって、形成されてもよい。
【０１９７】
本開示の唯一の好適な実施形態および技術的原理が上記で説明され得ることに、留意すべきである。当業者は、本開示が本明細書で説明される特定の実施形態に限定されず、本開示の範囲から逸脱することなく当業者によって様々な修正、変更、および置換がなされ得ることを、理解するだろう。したがって、本開示は上記実施形態によってより詳細に記載され得るものの、本開示は上記実施形態に限定されず、本開示の範囲から逸脱することなくその他多くの同等の実施形態が含まれ得る。本開示の範囲は、添付の請求項の範囲によって決定され得る。
【符号の説明】
【０１９８】
1  ネイルプリント装置
2  タッチスクリーン
3  カメラデバイス
4  制御モジュール
5  印刷デバイス
10  第1インターフェース
11  第1領域
12  第2領域
13  第3領域
14  第4領域
20  第2インターフェース
21  第5領域
22  第6領域
23  第7領域
24  第8領域
41  取得モジュール
42  モデル表示モジュール
43  パターン識別モジュール
44  パターン表示モジュール
45  プレビュー表示モジュール
46  第1受信モジュール
47  調整モジュール
48  第2受信モジュール
49  スライド表示モジュール
111  第1パターン
121  第2パターン
122  ユーザの爪モデル
211  第3パターン
212  第1パターンカタログ
213  第2パターンカタログ
221  ペイント印刷アイコン
222  システム設定アイコン
401  第3受信モジュール
402  位置合わせモジュール
403  印刷モジュール
500  システム
501  爪画像取得モジュール
502  色取得モジュール
503  コントラスト比取得モジュール
504  標的画像取得モジュール
800  ネイルプリント装置
801  処理デバイス
802  ROM
803  RAM
804  バス
805  I／Oインターフェース
806  入力デバイス
807  出力デバイス
808  ストレージデバイス
809  通信デバイス
900  システム
901  モデル表示モジュール
902  パターン識別モジュール
903  パターン表示モジュール
1200  印刷システム
1201  モデル表示モジュール
1202  パターン表示モジュール
1203  印刷モジュール
【図１Ａ】
2020110572.tif 000003
【図１Ｂ】
2020110572.tif 000004
【図２】
2020110572.tif 000005
【図３】
2020110572.tif 000006
【図４】
2020110572.tif 000007
【図５】
2020110572.tif 000008
【図６】
2020110572.tif 000009
【図７】
2020110572.tif 000010
【図８】
2020110572.tif 000011
【図９】
2020110572.tif 000012
【図１０】
2020110572.tif 000013
【図１１】
2020110572.tif 000014
【図１２】
2020110572.tif 000015
【図１３】
2020110572.tif 000016
【図１４】
2020110572.tif 000017
【図１５】
2020110572.tif 000018
【図１６】
2020110572.tif 000019